(57)【要約】無線回線制御装置は、第１及び第２の通信事業者により使用可能な第２の周波数帯における第２の周波数と第１の送信タイミングを含む第２の制御情報を第２及び第３の基地局装置へ送信するスケジューラを備え、前記第２及び第３の基地局装置は、前記第２の制御情報に基づいて前記第２の周波数帯における前記第２の周波数を用いて前記第１の送信タイミングにより端末装置共通のデータを送信する送信部を備え、第１の基地局装置は、第１の周波数帯における第１の周波数を用いて第１の制御情報を端末装置へ送信する第１の送信部を備え、前記端末装置は、前記第１の基地局装置から送信された前記第１の制御情報を前記第１の周波数を用いて受信し、前記第１の制御情報に基づいて前記第２の基地局装置と接続して前記第２の基地局装置から送信された前記端末装置共通のデータを前記第２の周波数を用いて前記第１の送信タイミングにより受信する受信部を備える。
2017090202.tif 000002
【特許請求の範囲】
【請求項１】
第１の通信事業者に割り当てられた第１の周波数帯を用いて無線通信が可能な第１の基地局装置と、  第２及び第３の基地局装置と、  無線回線制御装置と、  端末装置と  を備えた無線通信システムにおいて、  前記無線回線制御装置は、第１及び第２の通信事業者により使用可能な第２の周波数帯における第２の周波数と第１の送信タイミングを含む第２の制御情報を前記第２及び第３の基地局装置へ送信するスケジューラを備え、  前記第２の基地局装置は、前記第２の制御情報に基づいて前記第２の周波数帯における前記第２の周波数を用いて前記第１の送信タイミングにより端末装置共通のデータを送信する第２の送信部を備え、  前記第３の基地局装置は、前記第２の制御情報に基づいて前記第２の周波数帯における前記第２の周波数を用いて前記第１の送信タイミングにより前記端末装置共通のデータを送信する第３の送信部を備え、  前記第１の基地局装置は、前記第１の周波数帯における第１の周波数を用いて第１の制御情報を前記端末装置へ送信する第１の送信部を備え、  前記端末装置は、前記第１の基地局装置から送信された前記第１の制御情報を前記第１の周波数を用いて受信し、前記第１の制御情報に基づいて前記第２の基地局装置と接続して前記第２の基地局装置から送信された前記端末装置共通のデータを前記第２の周波数を用いて前記第１の送信タイミングにより受信する受信部を備えることを特徴とする無線通信システム。
【請求項２】
前記受信部は、前記第１の制御情報に基づいて前記第２の基地局装置から送信された前記第２の制御情報を受信し、前記第２の制御情報に基づいて前記第２の基地局装置から送信された前記端末装置共通のデータを受信することを特徴とする請求項１記載の無線通信システム。
【請求項３】
前記第１の送信部は、前記端末装置共通のデータを前記２の周波数を用いて前記第１の送信タイミングにより送信されるエリア又は前記エリアにおいて提供される端末装置共通のサービスを識別する識別情報を含む前記第１の制御情報を送信することを特徴とする請求項１記載の無線通信システム。
【請求項４】
前記スケジューラは、前記識別情報を含む前記第２の制御情報を前記第２及び第３の基地局装置へ送信し、  前記第２の基地局装置は、    前記識別情報に基づいて第１のスクランブリングコードを作成する第１の作成部と、    前記第１のスクランブリングコードを用いて前記端末装置共通のデータに対してスクランブリング処理を行う第１のスクランブリング処理部とを備え、    前記第２の送信部はスクランブリング処理された前記端末装置共通のデータを送信し、  前記第３の基地局装置は、    前記識別情報に基づいて前記第１のスクランブリングコードを作成する第２の作成部と、    前記第１のスクランブリングコードを用いて前記端末装置共通のデータに対してスクランブリング処理を行う第２のスクランブリング処理部とを備え、    前記第３の送信部はスクランブリング処理された前記端末装置共通のデータを送信し、  前記端末装置は、    前記第１の制御情報に含まれる前記識別情報に基づいて前記第１のスクランブリングコードを作成する第３の作成部と、    前記受信部で受信したスクランブリング処理された前記端末共通のデータに対して、前記第３の作成部で作成された前記第１のスクランブリングコードを用いてデスクランブリング処理を行い、前記端末共通のデータを抽出するデスクランブリング処理部を備える  ことを特徴とする請求項３記載の無線通信システム。
【請求項５】
前記第２の基地局装置は、    前記第２の制御情報に含まれる識別情報に基づいて参照信号を作成する第１の参照信号生成部を備え、    前記第２の送信部は前記参照信号を送信し、  前記端末装置は、    前記受信部は前記参照信号を受信し、    前記参照信号に基づいて受信品質を測定及び算出する受信品質測定部を備える  ことを特徴とする請求項３記載の無線通信システム。    
【請求項６】
前記第１の送信部は、前記識別情報と前記第２の周波数帯における第３の周波数を含む前記第１の制御情報を送信することを特徴とする請求項３記載の無線通信システム。
【請求項７】
前記第１の送信部は、更に、スロット番号を含む前記第１の制御情報を送信することを特徴とする請求項６記載の無線通信システム。
【請求項８】
前記第１の送信部は、更に、システムフレーム番号を含む前記第１の制御情報を送信することを特徴とする請求項６記載の無線通信システム。
【請求項９】
前記スケジューラは、更に、第１の変調方式及び第１の符号化率を含む前記第２の制御情報を前記第２及び第２の基地局装置へ送信し、  前記第２の送信部は、前記第２の制御情報に基づいて、前記第１の符号化率で誤り訂正符号化処理を施し、更に、誤り訂正符号化処理が施された前記端末装置共通のデータに対して前記第１の変調方式で変調処理を施し、変調処理が施された前記端末装置共通のデータに対して、前記第２の周波数を用いて前記第１の送信タイミングにより送信し、  前記第３の送信部は、前記第２の制御情報に基づいて、前記第１の符号化率で誤り訂正符号化処理を施し、更に、誤り訂正符号化処理が施された前記端末装置共通のデータに対して前記第１の変調方式で変調処理を施し、変調処理が施された前記端末装置共通のデータに対して、前記第２の周波数を用いて前記第１の送信タイミングにより送信する  ことを特徴とする請求項１記載の無線通信システム。
【請求項１０】
前記受信部は、前記第２の基地局装置から受信した前記第２の制御情報に基づいて、前記第２の基地局装置から送信された前記端末装置共通のデータを前記第２の周波数を用いて前記第１の送信タイミングで受信し、更に、受信した前記端末装置共通のデータに対して前記第１の変調方式で復調処理を施し、復調処理が施された前記端末装置共通のデータに対して前記第１の符号化率で誤り訂正復号化処理を施すことを特徴とする請求項６記載の無線通信システム。
【請求項１１】
前記第２及び第３の送信部は、前記第２の周波数帯における前記第２の周波数を用いて第２の送信タイミングにより又は前記第２の周波数帯における第３の周波数を用いて前記第２の制御情報を送信することを特徴とする請求項２記載の無線通信システム。
【請求項１２】
第１の通信事業者に割り当てられた第１の周波数帯を用いて無線通信が可能な基地局装置において、  第１及び第２の通信事業者により使用可能な第２の周波数帯における第２の周波数を用いて第１の送信タイミングにより端末共通データを送信する複数の他の基地局装置のうちいずれかの前記他の基地局装置と接続するための第１の制御情報を受信する受信部と、  前記第１の周波数帯の第１の周波数を用いて前記第１の制御情報を端末装置へ送信する送信部を備え、  前記端末装置は、前記第１の制御情報に基づいて前記他の基地局装置と接続して前記他の基地局装置から送信された前記端末共通データを前記第２の周波数を用いて前記第１の送信タイミングにより受信する  ことを特徴とする基地局装置。
【請求項１３】
第１の通信事業者に割り当てられた第１の周波数帯を用いて無線通信が可能な第１の基地局装置から送信された第１の制御情報を前記第１の周波数帯における第１の周波数を用いて受信する受信部と、  前記第１の制御情報に基づいて、第２の周波数帯における第２の周波数を用いて第１の送信タイミングにより端末装置共通のデータを送信する第２及び第３の基地局装置のうち前記第２の基地局装置と接続する制御部とを備え、  前記受信部は、前記第２の基地局装置から送信された前記端末装置共通のデータを前記第２の周波数を用いて前記第１の送信タイミングにより受信することを特徴とする端末装置。
【請求項１４】
第１の通信事業者に割り当てられた第１の周波数帯を用いて無線通信が可能な第１の基地局装置と、第２及び第３の基地局装置と、無線回線制御装置と、端末装置とを備えた無線通信システムにおける無線通信方法であって、  前記無線回線制御装置により、第１及び第２の通信事業者により使用可能な第２の周波数帯における第２の周波数と第１の送信タイミングを含む第２の制御情報を前記第２及び第３の基地局装置へ送信し、  前記第２の基地局装置により、前記第２の制御情報に基づいて前記第２の周波数帯における前記第２の周波数を用いて前記第１の送信タイミングにより端末装置共通のデータを送信し、  前記第３の基地局装置により、前記第２の制御情報に基づいて前記第２の周波数帯における前記第２の周波数を用いて前記第１の送信タイミングにより前記端末装置共通のデータを送信し、  前記第１の基地局装置により、前記第１の周波数帯における第１の周波数を用いて第１の制御情報を前記端末装置へ送信し、  前記端末装置により、前記第１の基地局装置から送信された前記第１の制御情報を前記第１の周波数を用いて受信し、前記第１の制御情報に基づいて前記第２の基地局装置と接続して前記第２の基地局装置から送信された前記端末装置共通のデータを前記第２の周波数を用いて前記第１の送信タイミングにより受信する  ことを特徴とする無線通信方法。
【発明の詳細な説明】
【技術分野】
【０００１】  本発明は、無線通信システム、基地局装置、端末装置、及び無線通信方法に関する。
【背景技術】
【０００２】  現在、標準化団体である３ＧＰＰ（3rd Generation Partnership Project）では、大容量で高速の無線ネットワークシステムの技術として、ＬＴＥ（Long Term Evolution）及びＬＴＥ−Ａｄｖａｎｃｅｄの後継システムが検討されている。このようなシステムは第５世代移動通信（5G:the 5th Generation mobile communication）と呼ばれている。また、日本においてはＬＴＥ−Ａｄｖａｎｃｅｄ技術の一つであるＣＡ（Carrier Aggregation）を用いたサービスが２０１５年より本格的に導入され、２００Ｍｂｐｓを超えた伝送速度で無線通信が可能となっている。【０００３】  ＣＡは、通信事業者又は移動通信事業者（以下、「オペレータ」と称する場合がある）に割り当てられた周波数を組み合わせて用いられる。例えば、日本のオペレータは８００ＭＨｚや１．７ＧＨｚなどの周波数帯（frequency band）を５つ程度保有しており、周波数帯の組み合わせによりＣＡを実施している。【０００４】  しかしながら、無線周波数は、移動通信、災害無線などの緊急通信、放送、衛星通信など様々な通信システムに割り当てられている。従って、移動通信に割り当てられる無線周波数は限定される。【０００５】  一方、移動通信の通信量（又はトラヒック）はスマートフォンなどの普及によって年々増加している。そのため、その需要に対応する周波数の確保が困難となってきている。そこで、３ＧＰＰでは、５ＧＨｚ帯など免許不要で使用可能な周波数を使用してＣＡを実施するなどの議論が始まっている。【０００６】  ３ＧＰＰではそのような議論の一つとしてＬＡＡ（Licensed Assisted Access using LTE）の標準化が検討されている。ＬＡＡは、例えば、Ｕｎｌｉｃｅｎｓｅｄ  ｂａｎｄ（「以下、アンライセンスバンド」と称する場合がある）とＬｉｃｅｎｓｅｄ  ｂａｎｄ（以下、「ライセンスバンド」と称する場合がある）を用いてＣＡを行う技術である。【０００７】  無線通信で使用する周波数は、ＩＴＵ−Ｒ（International Telecommunication Radio communications Sector）が策定した周波数の割り当てと各国の事情などを考慮して各国が特定のオペレータに対して使用免許を与えて割り当てている。オペレータは免許が与えられた周波数を占有して移動通信事業（又は無線通信事業）を行うことが可能である。オペレータに免許が与えられて割り当てられた周波数帯を、例えば、ライセンスバンドと称する場合がある。他方、アンライセンスバンドは、例えば、複数のオペレータなどが免許なしに使用可能な周波数帯のことである。アンライセンスバンドとしては、例えば、ＩＳＭ帯（Industry Science Medical band）や５ＧＨｚ帯などがある。【０００８】  一方、３ＧＰＰではＭＢＭＳ（Multimedia Broadcast Multicast Service）が仕様化されている。ＭＢＭＳは、例えば、３Ｇ（3rd Generation mobile communication：第３世代移動通信）及びＬＴＥシステムにおいて、不特定多数のユーザに対して映像や音楽、天気予報などの各種情報を配信（又は放送）可能なシステムのことである。ＭＢＭＳでは、配信エリア内の全ての端末に対して、共通の無線チャネルを用いて一斉に各種情報を配信（又は伝送）する。【０００９】  ＬＴＥサービスにおいては、ＭＢＳＦＮ（MBMS Single Frequency Network）送信方式を用いてＭＢＭＳを実施する。ＭＢＳＦＮ送信方式は、例えば、複数の基地局から同一の周波数を用いて、同一の変調方式及び同一の符号化率により、同一タイミングで同一データを送信する方式である。ＭＢＳＦＮ伝送方式は、Ｗ−ＣＤＭＡ（Wideband Code Division Multiple Access）及びＬＴＥにおいて仕様が規定されている。【００１０】  ＭＢＳＦＮ伝送方式を用いたサービスとしては、例えば、サッカー場などの競技場においてライブ映像を配信したり、ニュースや天気予報、観光案内などの情報を配信したりする場合がある。特に、２０２０年に開催される東京オリンピックにおいて、競技内容を競技場で配信することが検討されている。例えば、陸上競技や体操などは一つの競技場内で複数の競技が同時並行で進められており、ユーザはＭＢＳＦＮ伝送によって複数の複数のライブ映像の中からいずれかを選択して視聴することが可能となる。【００１１】  無線通信に関する技術として、例えば、以下がある。すなわち、免許を受けたスペクトルの１次キャリアに対して免許不要スペクトルのコンポーネントキャリアによりＬＴＥ通信の帯域幅が拡張され、免許不要スペクトルによりＩＥＥＥ８０２．１１ｎシステムの通信リンクがサポートされる技術がある。この技術によれば、例えば、ワイヤレス遠隔通信機器が免許不要帯域ならびに免許を受けた帯域を介して通信することが可能になる、とされる。【００１２】  また、セカンダリセルで利用するダイナミックＴＤＤの制御情報をプライマリセルで送信する無線基地局の技術もある。この技術によれば、例えば、ＴＤＤ−ＦＤＤ  ＣＡを前提としてＴＤＤ  ＵＬ−ＤＬ構成に依存しないＤｙｎａｍｉｃ  ＴＤＤを実現することができる、とされる。
【先行技術文献】
【特許文献】
【００１３】
【特許文献１】特表２０１４−５００６８５号公報
【特許文献２】特開２０１５−１３３６４２号公報
【非特許文献】
【００１４】
【非特許文献１】3GPP TS 36.211 V10.7.0 (2013-02)
【非特許文献１】3GPP TS 36.300 V10.10.0 (2013-06)
【発明の概要】
【発明が解決しようとする課題】
【００１５】  しかし、オペレータが保有するライセンスバンドの周波数を用いてＭＢＳＦＮ伝送が実施される場合、ＭＢＳＦＮ伝送によってライセンスバンドの他の周波数が制限を受ける。ライセンスバンドの他の周波数はトラフィックの増加に対応する周波数である。従って、ＭＢＳＦＮ伝送により、周波数の不足が問題となる場合がある。【００１６】  また、複数のオペレータでＭＢＳＦＮ伝送が行われる場合、オペレータ間で異なるライセンスバンドを用いてＭＢＳＦＮ伝送が行われる。そのため、ＭＢＳＦＮ伝送に際して、オペレータ間では周波数が有効に利用されず、周波数の有効活用化を図ることができない。この場合、各オペレータの基地局から同一コンテンツが重複して各オペレータの加入者端末へ送信される場合がある。他方、特定のオペレータの加入者端末は、他のオペレータの基地局から送信されるコンテンツを受信できない場合もある。例えば、日本以外の他の国のオペレータに加入している端末は、日本の基地局から送信されるコンテンツを受信できない場合もある。【００１７】  そこで、一開示は、無線リソースの有効活用化を図る無線通信システム、基地局装置、端末装置、及び無線通信方法を提供することにある。【００１８】  また、一開示は、特定のオペレータに加入している無線端末装置であってもコンテンツを受信することが可能な無線通信システム、基地局装置、端末装置、及び無線通信方法を提供することにある。
【課題を解決するための手段】
【００１９】  一態様によれば、第１の通信事業者に割り当てられた第１の周波数帯を用いて無線通信が可能な第１の基地局装置と、第２及び第３の基地局装置と、無線回線制御装置と、端末装置とを備えた無線通信システムにおいて、前記無線回線制御装置は、第１及び第２の通信事業者により使用可能な第２の周波数帯における第２の周波数と第１の送信タイミングを含む第２の制御情報を前記第２及び第３の基地局装置へ送信するスケジューラを備え、前記第２の基地局装置は、前記第２の制御情報に基づいて前記第２の周波数帯における前記第２の周波数を用いて前記第１の送信タイミングにより端末装置共通のデータを送信する第２送信部を備え、前記第３の基地局装置は、前記第２の制御情報に基づいて前記第２の周波数帯における前記第２の周波数を用いて前記第１の送信タイミングにより前記端末装置共通のデータを送信する第３の送信部を備え、前記第１の基地局装置は、前記第１の周波数帯における第１の周波数を用いて第１の制御情報を前記端末装置へ送信する第１の送信部を備え、前記端末装置は、前記第１の基地局装置から送信された前記第１の制御情報を前記第１の周波数を用いて受信し、前記第１の制御情報に基づいて前記第２の基地局装置と接続して前記第２の基地局装置から送信された前記端末装置共通のデータを前記第２の周波数を用いて前記第１の送信タイミングにより受信する受信部を備える。
【発明の効果】
【００２０】  一開示によれば、無線リソースの有効活用化を図る無線通信システム、基地局装置、端末装置、及び無線通信方法を提供することができる。また、一開示によれば、特定のオペレータに加入している無線端末装置であってもコンテンツを受信することが可能な無線通信システム、基地局装置、端末装置、及び無線通信方法を提供することができる。
【図面の簡単な説明】
【００２１】
【図１】図１は無線通信システムの構成例を表わす図である。
【図２】図２は無線通信システムの構成例を表わす図である。
【図３】図３はＬＡＡの例を表す図である。
【図４】図４は無線通信システムの構成例を表す図である。
【図５】図５はｅＭＢＭＳシステムの構成例を表す図である。
【図６】図６（Ａ）と図６（Ｂ）はｅＭＢＭＳシステムの構成例を表す図である。
【図７】図７はＭＣＥの構成例を表す図である。
【図８】図８は基地局装置の構成例を表す図である。
【図９】図９は基地局装置の構成例を表す図である。
【図１０】図１０は各チャネルの関係例を表す図である。
【図１１】図１１は端末装置の構成例を表す図である。
【図１２】図１２は動作例を表すシーケンス図である。
【図１３】図１３（Ａ）から図１３（Ｄ）は無線リソースの割り当て例を表す図である。
【図１４】図１４は無線通信システムの構成例を表す図である。
【図１５】図１５は基地局装置のハードウェア構成例を表す図である。
【図１６】図１６は端末装置のハードウェア構成例を表す図である。
【図１７】図１７はＭＣＥのハードウェア構成例を表す図である。
【発明を実施するための形態】
【００２２】  以下、本実施の形態について図面を参照して詳細に説明する。本明細書における課題及び実施例は一例であり、本願の権利範囲を限定するものではない。特に、記載の表現が異なっていたとしても技術的に同等であれば、異なる表現であっても本願の技術を適用可能であり、権利範囲を限定するものではない。
【００２３】  また、本明細書で使用している用語や本明細書に記載した技術的内容は、３ＧＰＰなどにおいて通信に関する規格として仕様書に記載された用語や技術的内容が適宜用いられてもよい。このような仕様書の一例としては、上述した非特許文献１、２などがある。
【００２４】  ［第１の実施の形態］  図１は第１の実施の形態における無線通信システム１０の構成例を表す図である。無線通信システム１０は、第１の基地局装置１００−１、第２及び第３の基地局装置１００−２，１００−３、端末装置２００、及び無線回線制御装置３００を備える。
【００２５】  第１の基地局装置１００−１は、第１の通信事業者に割り当てられた第１の周波数帯を用いて無線通信が可能である。第１の基地局装置１００−１は、第１の送信部１７０−１を備える。
【００２６】  第１の送信部１７０−１は、第１の周波数帯における第１の周波数を用いて第１の制御情報を端末装置２００へ送信する。
【００２７】  第２及び第３の基地局装置１００−２，１００−３は、無線回線制御装置３００から送信された第２の制御情報を受信する。第２の基地局装置１００−２は第２の送信部１７０−２を備え、第３の基地局装置１００−３は第３の送信部１７０−３を備える。
【００２８】  第２の送信部１７０−２は、第２の制御情報に基づいて、第１及び第２の通信事業者により使用可能な第２の周波数帯における第２の周波数を用いて第１の送信タイミングにより端末装置共通のデータを送信する。
【００２９】  また、第３の送信部１７０−３は、第２の制御情報に基づいて第２の周波数帯における第２の周波数を用いて第１の送信タイミングにより端末装置共通のデータを送信する。
【００３０】  端末装置２００は受信部２７０を備える。受信部２７０は、第１の基地局装置１００−１から送信された第１の制御情報を第１の周波数を用いて受信する。また、受信部２７０は、第１の制御情報に基づいて、第２の基地局装置１００−２と接続し、第２の基地局装置１００−２から送信された端末装置共通のデータを第２の周波数を用いて第１の送信タイミングにより受信する。
【００３１】  無線回線制御装置３００はスケジューラ３７０を備える。スケジューラ３７０は、第２の周波数帯における第２の周波数と第１の送信タイミングを含む第２の制御情報を第２及び第３の基地局装置１００−２，１００−３へ送信する。
【００３２】  このように、本第１の実施の形態においては、第２及び第３の基地局装置１００−２，１００−３は、第１及び第２の通信事業者により使用可能な第２の周波数帯における第２の周波数を用いて端末装置共通のデータを送信している。第２及び第３の基地局装置１００−２，１００−３では、例えば、共通の周波数を用いて端末装置共通のデータを送信するようにしており、異なる周波数を用いて端末装置共通のデータを送信する場合と比較して、周波数の有効活用化を図ることができる。従って、無線リソースの有効活用化を図ることができる。
【００３３】  また、例えば、端末装置２００が第１の通信事業者と契約して使用可能となった端末装置の場合、端末装置２００は第１の通信事業者に割り当てられた第１の周波数帯の第１の周波数を用いて第１の基地局装置１００−１から送信された第１の制御情報を受信する。端末装置２００は、第１の制御情報に基づいて第２の基地局装置１００−２と接続し、第２の基地局装置１００−２から送信された端末装置共通のデータを受信する。従って、第１の通信事業者と契約した端末装置２００であっても、第２の基地局装置１００−２から端末装置共通のデータを受信することが可能となる。
【００３４】  この場合、第２及び第３の基地局装置１００−２，１００−３は、第１及び第２の通信事業者が使用可能な第２の周波数帯の第２の周波数を用いて第１の送信タイミングにより端末装置共通のデータを送信している。第２の周波数帯は複数の通信事業者により使用可能な周波数帯であることから、例えば、第２の周波数帯はアンライセンスバンドとなっている。また、第２及び第３の基地局装置１００−２，１００−３から送信されるデータは、共通（又は同一）の第２の周波数を用いて共通（又は同一）の第１の送信タイミングにより共通（又は同一）のデータとして送信されている。このことから、第２及び第３の基地局装置１００−２，１００−３は、例えば、ＭＢＳＦＮ伝送を行っている。従って、第２及び第３の基地局装置１００−２，１００−３は、例えば、アンライセンスバンドを用いてＭＢＳＦＮ伝送を行っている。
【００３５】  よって、特定のオペレータ（例えば第１の通信事業者）と契約した端末装置２００であっても、アンライセンスバンドを用いてＭＢＳＦＮ伝送を行っている第２の基地局装置１００−２からデータを受信することが可能となる。
【００３６】  ［第２の実施の形態］  次に第２の実施の形態について説明する。最初に本第２の実施の形態で説明する用語について説明する。
【００３７】  ＜用語の説明＞  ＭＢＭＳ（Multimedia Broadcast Multicast Service）は、例えば、配信エリア内の端末装置に対して、共通の無線チャネルを用いて一斉に映像や音楽などの各種情報を配信（又は伝送）するサービスである。
【００３８】  ＭＢＳＦＮ（MBMS Single Frequency Network）伝送方式は、例えば、ＬＴＥシステムにおいてＭＢＭＳデータの伝送を実施する方式である。ＭＢＳＦＮ伝送方式は、例えば、同一の周波数を用いて、同一の変調方式及び同一の符号化率により、複数の基地局から一斉に（又は同一タイミング）で同一のＭＢＭＳデータをブロードキャスト又はマルチキャストで伝送する方式である。
【００３９】  ＭＢＳＦＮ伝送方式が実施されるエリアのことを、例えば、ＭＢＳＦＮエリアと称する場合がある。ＭＢＳＦＮエリアは、例えば、他のＭＢＳＦＮエリアを識別する識別情報としてＭＢＳＦＮ  ＩＤ（Identification）が割り当てられる。ＭＢＳＦＮ  ＩＤの割り当ては、オペレータが移動通信事業を行う際に固定的に割り当てられてもよいし、ＭＭＥ（Mobility Management Entity）やＭＣＥ（Multi-cell/multicast Coordination Entity）などにより動的に割り当てられてもよい。
【００４０】  ライセンスバンドは、例えば、各国が特定のオペレータに対して使用免許を与えて割り当てた周波数帯である。ライセンスバンドは、例えば、特定のオペレータに割り当てられた周波数帯でもある。特定のオペレータはライセンスバンドを占有して移動通信事業を行うことができる。ライセンスバンドのことを、例えば、免許が必要な周波数帯と称する場合がある。
【００４１】  アンライセンスバンドは、例えば、特定のオペレータに対して使用免許が与えられることなく、複数のオペレータなどが使用可能な周波数帯である。アンライセンスバンドのことを、例えば、免許不要な周波数帯と称する場合がある。アンライセンスバンドは、例えば、日本においては特定小電力通信として規定され、送信電力の上限、連続送信時間の上限、及び送信前に周波数が使用されていないことを確認するなどの規定を守れば自由に使用可能である。
【００４２】  ＣＡ（Carrier Aggregation）は、例えば、複数の周波数を同時に用いて無線通信を行うことである。また、１つの周波数は、例えば、特定の帯域幅を持つものであり、コンポーネントキャリア（以下、「ＣＣ」と称する場合がある）と同じ意味で用いられる場合がある。従って、ＣＡは、例えば、複数のＣＣを用いて無線通信を行うことである。
【００４３】  ＬＡＡ（Licensed Assisted access using LTE）は、例えば、ＬＴＥシステムを利用して、アンライセンスバンドとライセンスバンドとでＣＡを行って無線通信を行う方式である。
【００４４】  配信（distribute）は、例えば、基地局装置が端末装置にデータを配る意味に用いられる。また、伝送（transmission）は、例えば、データを伝える意味に用いられる場合がある。本明細書においては配信と伝送はほぼ同義で用いられる。さらに、伝送は、例えば、送信と受信も含む。従って、伝送と送信は、例えば、異なる場合がある。
【００４５】  報知又は放送は、例えば、基地局装置が配信エリア内の全端末装置に情報を配信することである。報知又は放送のことを、例えば、ブロードキャストと称する場合がある。また、基地局装置が特定のグループに属する全端末装置に情報を配信することを、例えば、マルチキャストと称する場合がある。
【００４６】  移動通信事業者又は通信事業者は、例えば、通信サービスを提供する事業者のことである。移動通信事業者又は通信事業者のことを、例えば、オペレータと称する場合がある。
【００４７】  セルとは、例えば、１つの周波数を用いて構成されるサービスエリアである。この場合、周波数は１つであることから、セルと周波数は同じ意味で用いられる場合がある。また、セルとは、１つの無線基地局装置（以下、「基地局」と称する場合がある）によって形成されたサービスエリアであってもよいし、当該サービスエリアと基地局装置とを併せたものであってもよい。
【００４８】  周波数帯域は、例えば、特定の帯域幅を持っている。従って、周波数帯域のことを、例えば、周波数と称する場合がある。また、周波数帯は、例えば、中心周波数を中心に一定の帯域幅を持っている。
【００４９】  上述した用語の説明は一例である。これらの用語は、例えば、３ＧＰＰなどの通信規格を規定する仕様書において記載されている用語やその意味が用いられてもよい。
【００５０】  ＜無線通信システムの構成例＞  次に、本第２の実施の形態における無線通信システムの構成例について説明する。図２は無線通信システム１０の構成例を表す図である。
【００５１】  無線通信システム１０は、基地局１００−Ａ、ＭＭＥ４００−Ａ、ＳＧＷ（Serving Gateway）４５０−Ａ、ＰＧＷ（PDN(Packet Data Network) Gateway）４６０−Ａ、オペレータＡのネットワーク６００−Ａを備える。基地局１００−Ａ、ＭＭＥ４００−Ａ、ＳＧＷ４５０−Ａ、ＰＧＷ４６０−Ａ、及びオペレータＡのネットワーク６００−Ａは、例えば、オペレータＡが運用したり管理したりする装置である。
【００５２】  また、無線通信システム１０は、基地局１００−Ｂ、ＭＭＥ４００−Ｂ、オペレータＢのネットワーク６００−Ｂを備える。基地局１００−Ｂ、ＭＭＥ４００−Ｂ、オペレータＢのネットワーク６００−Ｂは、例えば、オペレータＢが運用したり管理したりする装置である。
【００５３】  さらに、無線通信システム１０は、複数の基地局１００−Ｃ１，…，１００−Ｃｎ（ｎは２以上の整数）、ＭＣＥ３００、ＭＭＥ４００−Ｃ、ＧＷ（Gateway）５００、データ管理装置７００、ＭＢＭＳ  ＧＷ（MBMS Gateway）８００を備える。複数の基地局１００−Ｃ１，…，１００−Ｃｎ、ＭＣＥ３００、ＭＭＥ４００−Ｃ、ＧＷ５００、データ管理装置７００、及びＭＢＭＳ  ＧＷ８００は、例えば、オペレータＡ側の装置でもよいし、オペレータＢ側の装置でもよいし、他のオペレータの装置でもよい。或いは、これらの装置は複数のオペレータによって共同で運用、管理、又は使用されもよい。
【００５４】  さらに、無線通信システム１０は、端末装置（以下、「端末」と称する場合がある）２００−１，２００−２を備える。
【００５５】  なお、第１の実施の形態における第１の基地局装置１００−１は、例えば、基地局１００−Ａに対応する。また、第１の実施の形態における第２及び第３の基地局装置１００−２，１００−３は、例えば、基地局１００−Ｃ１，１００−Ｃ２に対応する。さらに、第１の実施の形態における端末装置２００は、例えば、端末２００−１に対応する。さらに、第１の実施の形態における無線回線制御装置３００は、例えば、ＭＣＥ３００に対応する。
【００５６】  基地局１００−Ａは、オペレータＡに割り当てられたライセンスバンドを用いて、自局のサービスエリアに在圏する端末２００−１，２００−２と無線通信を行う無線通信装置である。また、基地局１００−Ｂは、オペレータＢに割り当てられたライセンスバンドを用いて、自局のサービスエリアに在圏する端末２００−１，２００−２と無線通信を行う。
【００５７】  一方、複数の基地局１００−Ｃ１，…，１００−Ｃｎは、アンライセンスバンドを用いて端末２００−１，２００−２と無線通信を行う。アンライセンスバンドは、例えば、オペレータ依存がなく、複数のオペレータで共通して使用可能な周波数である。従って、アンライセンスバンドを使用する複数の基地局１００−Ｃ１，…，１００−Ｃｎは複数のオペレータで共通して使用可能な基地局でもある。
【００５８】  また、基地局１００−Ａと複数の基地局１００−Ｃ１，…，１００−Ｃｎにより、ＬＡＡが適用される。従って、基地局１００−Ａと複数の基地局１００−Ｃ１，…，１００−Ｃｎによりライセンスバンドとアンライセンスバンドを用いたＣＡが実施される。図３は、基地局１００−Ａと複数の基地局１００−Ｃ１，…，１００−ＣｎによりＣＡが実施される例を表している。
【００５９】  図２に戻り、さらに、基地局１００−Ｂと複数の基地局１００−Ｃ１，…，１００−Ｃｎにより、ＬＡＡが適用される。従って、基地局１００−Ｂと複数の基地局１００−Ｃ１，…，１によりライセンスバンドとアンライセンスバンドを用いたＣＡが実施される。
【００６０】  この場合、端末２００−１は、基地局１００−Ａと無線回線を設定して接続した後、複数の基地局１００−Ｃ１，…，１００−Ｃｎと無線回線を設定して接続することで、ＬＡＡを実施している。また、端末２００−２も、基地局１００−Ｂと無線回線を設定して接続した後、複数の基地局１００−Ｃ１，…，１００−Ｃｎと無線回線を設定して接続することで、ＬＡＡを実施している。
【００６１】  複数の基地局１００−Ｃ１，…，１００−Ｃｎは、アンライセンスバンドを用いてＭＢＳＦＮ伝送を行う。複数の基地局１００−Ｃ１，…，１００−Ｃｎは、ＭＢＭＳ  ＧＷ８００と接続され、ＭＢＭＳ  ＧＷ８００から送信されたＭＢＭＳデータを受信し、受信したＭＢＭＳデータに対してＭＢＳＦＮ伝送を行う。
【００６２】  端末２００−１，２００−２は、例えば、フィーチャーフォン、スマートフォン、タブレット端末、パーソナルコンピュータ、ゲーム装置などの無線通信装置である。端末２００−１は、例えば、ユーザがオペレータＡと契約して使用可能となったオペレータＡ側の加入者端末である。他方、端末２００−２は、例えば、ユーザがオペレータＢと契約して使用可能となったオペレータＢ側の加入者端末である。いずれの端末２００−１，２００−２も、ＭＢＳＦＮエリアにおいて、複数の基地局１００−Ｃ１，…，１００−ＣｎからＭＢＭＳデータを受信することで、ＭＢＭＳの配信サービスを受けることができる。この場合、端末２００−１，２００−２は、複数の基地局１００−Ｃ１，…，１００−ＣｎからＭＢＳＦＮ制御情報を受信し、受信したＭＢＳＦＮ制御情報に基づいてＭＢＭＳデータを受信する。ＭＢＳＦＮ制御情報は、例えば、各端末２００−１，２００−２に割り当てられた無線リソースや変調方式、符号化率などの制御情報が含まれる。
【００６３】  なお、基地局１００−Ａ，１００−Ｂ，１００−Ｃ１，…，１００−Ｃｎと端末２００−１，２００−２は双方向通信が可能である。すなわち、基地局１００−Ａ，１００−Ｂ，１００−Ｃ１，…，１００−Ｃｎから端末２００−１，２００−２への方向（以下、「下り方向」）の通信と、端末２００−１，２００−２から基地局１００−Ａ，１００−Ｂ，１００−Ｃ１，…，１００−Ｃｎへの方向（以下、「上り方向」）の通信が可能である。
【００６４】  図２に示す無線通信システム１０においては、オペレータＡ側の基地局１００−ＡとオペレータＢ側の基地局１００−Ｂは１つずつ示されているが、各オペレータにおいて複数の基地局が設置されてもよい。また、端末２００−１，２００−２についても、無線通信システム１０においては一つ又は３つ以上存在してもよい。
【００６５】  ＭＣＥ３００は、ＭＢＳＦＮを実施する際のＭＢＳＦＮ  ＩＤ、Ｍ−ＲＡＮＴＩ（MBMS Radio Network Temporary ID）、使用周波数、使用変調方式、使用符号化率、送信タイミングなどを制御（又は決定、或いは選択）する。
【００６６】  また、ＭＣＥ３００は、基地局１００−Ａ，１００−Ｂ，１００−Ｃ１，…，１００−Ｃｎから送信するＭＢＭＳデータのデータ量を制御（又は決定、或いは選択）する。ＭＣＥ３００において行われるこれらの制御機能を、例えば、スケジューリングと称する場合がある。
【００６７】  図１３（Ａ）から図１３（Ｄ）は、ＭＣＥ３００においてスケジューリングした使用周波数と送信タイミングの例を表す。図１３（Ａ）から図１３（Ｄ）はユーザ毎に異なるスケジューリングが行われた例を表している。ＭＣＥ３００では、ユーザ毎に使用周波数と送信タイミングをスケジューリングしてもよく、また、リソースブロック単位でスケジューリングを行ってもよい。
【００６８】  ＭＣＥ３００は、スケジューリングにより決定したＭＢＳＦＮ  ＩＤ、Ｍ−ＲＮＴＩ、使用周波数や使用変調方式、使用符号化率、送信タイミングなどを含むＭＢＳＦＮ制御情報（又は第２のＭＢＳＦＮ制御情報）を作成し、作成したＭＢＳＦＮ制御情報を配下の基地局１００−Ａ，１００−Ｂ，１００−Ｃ１，…，１００−Ｃｎへ送信する。さらに、ＭＣＥ３００は、例えば、伝送されるＭＢＭＳデータの内容を示すリスト（以下、「コンテンツリスト」と称する場合がある）を作成し、作成したコンテンツリストを配下の基地局１００−Ａ２，…，１００−Ｂ１へ送信する。
【００６９】  ＭＭＥ４００−Ａ，４００−Ｂ，４００−Ｃは、ベアラの確立や開放、端末２００−１，２００−２の位置管理やハンドオーバなどの移動制御などを行う。また、ＭＭＥ４００−Ｃは、例えば、ＭＣＥ３００の上位装置として機能し、ＭＢＭＳデータのセッションを制御したり、ＭＢＭＳデータに対するベアラを確立したりする等の制御を行う。セッションとは、例えば、ＭＢＳＦＮを開始したり停止したりすることである。
【００７０】  ＳＧＷ４５０−Ａは、例えば、基地局１００−ＡとＰＧＷ４６０−Ａとの間でユーザデータなどを中継する中継装置（又はゲートウェイ装置）である。また、ＳＧＷ４５０−Ａは、ＭＭＥ４００−Ａとの間で制御信号を交換してもよい。
【００７１】  ＰＧＷ４６０−Ａは、例えば、オペレータＡのネットワーク６００−Ａと無線通信システム１０を接続し、ユーザデータなどを中継する中継装置（又はゲートウェイ装置）である。また、ＰＧＷ４６０−Ａは、例えば、オペレータＡの加入者端末である端末２００−１に対してＩＰアドレスの払い出し、課金データの収集、ＱｏＳ（Quality of Service）制御なども行う。
【００７２】  ＧＷ５００は、例えば、オペレータ間のネットワークを接続するゲートウェイである。図２の例では、ＧＷ５００は、オペレータＡのネットワーク６００−ＡとＭＢＳＦＮ伝送を実施するネットワークを接続している。
【００７３】  データ管理装置７００は、例えば、カメラ装置などで撮像された映像や音声に関するデータを収集し、当該データをコンテンツデータとして管理する。データ管理装置７００は、例えば、ＨＤＤ（Hard Disk Drive）など大容量の記憶媒体（又はメモリ）を有し、当該データを記憶し、ＭＢＭＳ  ＧＷ８００からの要求に応じて、記憶されたデータを読み出してＭＢＭＳ  ＧＷ８００へ送信する。データ管理装置７００によって収集又は管理されるデータのことを、例えば、ＭＢＭＳデータと称する場合がある。なお、データ管理装置７００は、例えば、ＢＭ−ＳＣ（Broadcast Multicast-Service Center）と称される場合がある。
【００７４】  ＭＢＭＳ  ＧＷ８００は、データ管理装置７００から送信されたＭＢＭＳデータを受信し、受信したＭＢＭＳデータを、ＭＢＳＦＮ伝送を行う基地局１００−Ａ２，…，１００−Ｂ１へマルチキャストで送信する。
【００７５】  図４は、図２に示す無線通信システム１０の一部を抜粋した無線通信システム１０の構成例を示す。本第２の実施の形態では、オペレータＡの基地局１００−ＡはオペレータＡに割り当てられたライセンスバンドを用いて制御情報（又は第１の制御情報）を端末２００−１へ送信する。端末２００−１は、制御情報に基づいて、アンライセンスバンドを用いてＭＢＳＦＮ伝送を行う基地局１００−Ｃ１，…，１００−Ｃｎと無線回線を設定して接続する。この制御情報は、例えば、端末２００−１が基地局１００−Ｃ１，…，１００−Ｃｎと接続するための制御情報となる。この制御情報を、例えば、第１のＭＢＳＦＮ制御情報と称する場合がある。
【００７６】  そして、端末２００−１は、接続した基地局１００−Ｃ１，…，１００−ＣｎからＭＢＳＦＮ制御情報（又は第２の制御情報）を受信する。端末２００−１は、ＭＢＳＦＮ制御情報に基づいて基地局１００−Ｃ１，…，１００−Ｃｎから配信されたＭＢＭＳデータ（又は端末装置共通のデータ）を受信する。このＭＢＳＦＮ制御情報は、例えば、端末２００−１がＭＢＭＳデータを受信するための制御情報でもある。このＭＢＳＦＮ制御情報を、例えば、第２のＭＢＳＦＮ制御情報と称する場合がある。
【００７７】  第１のＭＢＳＦＮ制御情報には、例えば、ＭＢＳＦＮ  ＩＤ、複数の基地局１００−Ｃ１，…，１００−Ｃｎで使用する周波数、スロット番号、ＳＦＮ（System Frame Number：システムフレーム番号又は無線フレーム番号）などが含まれてもよい。第１のＭＢＳＦＮ制御情報は、例えば、ＭＣＥ３００で作成され、ＭＭＥ４００−Ｃ、ＧＷ５００、オペレータＡのネットワーク６００−Ａ、ＭＭＥ４００−Ａを経由して、基地局１００−Ａから送信される。ただし、第１のＭＢＳＦＮ制御情報はＭＭＥ４００−Ｃで作成されてもよい。或いは、第１のＭＢＳＦＮ制御情報に含まれる情報の一部がＭＣＥ３００で作成され、残りの情報がＭＭＥ４００−Ｃで作成されてもよい。この場合、第１のＭＢＳＦＮ制御情報に含まれる情報がＭＣＥ３００に集められて、ＭＣＥ３００から基地局１００−Ａへ向けて送信されてもよいし、ＭＭＥ４００−Ｃに集められて基地局１００−Ａへ向けて送信されてもよい。
【００７８】  ＭＢＳＦＮ  ＩＤは、図４の例では、基地局１００−Ｃ１，…，１００−ＣｎがＭＢＭＳデータの配信サービスを提供するＭＢＳＦＮエリアを識別する識別情報となっている。或いは、ＭＢＳＦＮ  ＩＤは、例えば、複数の基地局１００−Ｃ１，…，１００−Ｃｎが端末装置共通のデータを同一の周波数を用いて同一の送信タイミングにより送信するエリアを識別する識別情報となっている。或いは、ＭＢＳＦＮ  ＩＤは、例えば、ＭＢＳＦＮエリアで送信される端末装置共通のサービスを識別する識別情報でもある。ＭＢＳＦＮ  ＩＤは、例えば、第１及び第２のＭＢＳＦＮ制御情報の双方に含まれてもよい。
【００７９】  なお、第２のＭＢＳＦＮ制御情報は、上述したようにＭＣＥ３００で作成され、ＭＣＥ３００によりスケジューリングされた制御情報が含まれる。第２のＭＢＳＦＮ制御情報としては、例えば、複数の基地局１００−Ｃ１，…，１００−ＣｎにおいてＭＢＳＦＮ伝送で使用する使用周波数、使用変調方式、使用符号化率、送信タイミングなどがある。第２のＭＢＳＦＮ制御情報に含まれる使用周波数、使用変調方式、使用符号化率、送信タイミングなどは、例えば、ＭＢＳＦＮ伝送を実施するに際して複数の基地局１００−Ｃ１，…，１００−Ｃｎにおいて同一又は共通となっている。
【００８０】  図５はｅＭＢＭＳ（evolved MBMS）システム１１の構成例を表している。ｅＭＢＭＳシステム１１は、例えば、無線通信システム１０の一部であって、無線通信システム１０に含まれる。
【００８１】  ｅＭＢＭＳシステム１１は、基地局（ｅＮＢ（evolved Node B））１００−Ｃ、ＭＣＥ３００、ＭＭＥ４００−Ｃ、ＭＢＭＳ  ＧＷ８００を備える。基地局１００−Ｃは、図２に示す基地局１００−Ｃ１，…，１００−Ｃｎのいずれかであってよい。以下では、基地局１００−Ｃ１，…，１００−Ｃｎを基地局１００−Ｃと称する場合がある。
【００８２】  図６（Ａ）と図６（Ｂ）はｅＭＢＭＳシステム１１の他の構成例を表している。ＭＣＥ３００は、図６（Ａ）に示すように、ＭＭＥ４００−Ｃに含まれても良い。この場合、ＭＣＥ３００はＭＭＥ４００−Ｃにおける一つの機能として実現されてもよい。また、ＭＣＥ３００は、図６（Ｂ）に示すように、基地局１００−Ｃ１，１００−Ｃ２に含まれてもよい。この場合、ＭＣＥ３００は、各基地局１００−Ｃ１，１００−Ｃ２における一つの機能として実現されてもよい。
【００８３】  次に、無線通信システム１０におけるＭＣＥ３００、基地局１００−Ａ，１００−Ｂ，１００−Ｃ１，…，１００−Ｃｎ、端末２００−１，２００−２の各構成例を説明する。なお、基地局１００−Ａ，１００−Ｂは同一構成のため、代表して、基地局１００−Ａを例にして説明する。また、基地局１００−Ｃ１，…，１００−Ｃｎは、いずれの同一構成のため、基地局１００−Ｃとして説明する。さらに、端末２００−１，２００−２も同一構成のため、端末２００として説明する。
【００８４】  ＜ＭＣＥの構成例＞  図７はＭＣＥ３００の構成例を表す図である。ＭＣＥ３００は、セッション制御部３１０、スケジューラ３２０、及びコンテンツ制御部３３０を備える。
【００８５】  セッション制御部３１０は、例えば、ＭＢＳＦＮ伝送のセッションを制御する。セッション制御部３１０は、例えば、ＭＢＭＳデータ伝送の開始や終了などを指示するセッション制御情報を作成し、ＭＭＥ４００−Ａ，４００−Ｂや配下の基地局１００へ送信する。なお、セッションとは、例えば、ＭＢＳＦＮを開始又は停止することである。
【００８６】  スケジューラ３２０は、ＭＢＳＦＮ伝送を実施する際の周波数、変調方式、符号化率、送信タイミング、ＭＢＳＦＮ  ＩＤなどを選択し、選択したこれらの情報を含む第２のＭＢＳＦＮ制御情報を作成する。スケジューラ３２０は、作成した第２のＭＢＳＦＮ制御情報を配下の基地局１００−Ｃへ送信する。第２のＭＢＳＦＮ制御情報に含まれる使用周波数、使用変調方式、使用符号化率、送信タイミング、ＭＢＳＦＮ  ＩＤなどの情報は、スケジューラ３２０内部のメモリやＭＣＥ３００内のメモリなどに予め記憶されてもよい。スケジューラ３２０がメモリに適宜アクセスして、これらの情報を読み出して第１のＭＢＳＦＮ情報を作成するようにしてもよい。
【００８７】  なお、基地局１００ではＭＢＭＳデータの送信に際して、システムフレーム（又は無線フレーム）番号、サブフレーム番号、及びスロット番号を用いてＭＢＭＳデータを送信する送信タイミングを規定する。スケジューラ３２０は、システムフレーム番号、サブフレーム番号、及びスロット番号を送信タイミングとして第２のＭＢＳＦＮ制御情報に含めて基地局１００−Ｃへ送信してもよい。
【００８８】  また、スケジューラ３２０は、例えば、ＭＢＳＦＮ  ＩＤ、ＭＢＳＦＮ伝送を行う際に使用する周波数、システムフレーム番号やスロット番号などを選択し、選択したこれらの情報を含む第１のＭＢＳＦＮ制御情報を作成してもよい。この場合、スケジューラ３２０は、作成した第１のＭＢＳＦＮ制御情報をＭＭＥ４００−Ｃなどを介して各オペレータの基地局１００−Ａ，１００−Ｂへ送信する。
【００８９】  コンテンツ制御部３３０は、例えば、ＭＢＭＳ  ＧＷ８００から基地局１００−Ｃへ送信されるコンテンツに関する制御を行う。例えば、コンテンツ制御部３３０は、コンテンツリストを作成し、作成したコンテンツリストを含むコンテンツ制御情報を作成し、作成したコンテンツ制御情報を基地局１００へ送信する。また、コンテンツ制御部３３０は、配信するコンテンツのデータ量（又はＭＢＭＳデータ量）を含むコンテンツ制御情報を作成し、作成したコンテンツ制御情報を基地局１００−Ｃへ送信してもよい。
【００９０】  ＜基地局の構成例＞  次に基地局１００−Ａ，１００−Ｃの構成例について説明する。図８は基地局１００−Ａ、図９は基地局１００−Ｃの構成例を夫々表している。基地局１００−Ａはライセンスバンドを用いて端末２００−１と無線通信を行い端末２００−１に対して第１のＭＢＳＦＮ制御情報を送信する。一方、基地局１００−Ｃはアンライセンスバンドを用いてＭＢＳＦＮ伝送を実施し、第２のＭＢＳＦＮ制御情報とＭＢＭＳデータを送信する。
【００９１】  ＜基地局１００−Ａの構成例＞  図８に示すように、基地局１００−Ａは、アンテナ１０１Ａ、受信部１１０Ａ、制御部１２０Ａ、及び送信部１３０Ａを備える。
【００９２】  なお、第１の実施の形態における第１の送信部１７０−１は、例えば、送信部１３０−Ａに対応する。
【００９３】  受信部１１０Ａは、受信無線部１１１Ａ、受信直交多元接続処理部１１２Ａ、復調・復号部１１３Ａ、無線回線品質情報抽出部１１４Ａ、送信電力情報抽出部１１５Ａを備える。
【００９４】  また、制御部１２０Ａは、無線回線制御部（又はスケジューラ）１２１Ａ、システム情報管理・記憶部（以下、「システム情報管理部」と称する場合がある）１２２Ａを備える。
【００９５】  さらに、送信部１３０Ａは、報知情報作成部１３１Ａ、パイロット作成部（又は参照信号作成部）１３２Ａ、無線回線制御情報抽出部１３３Ａ、送信電力制御部１３４Ａ、符号化・変調部１３５Ａ、送信直交多元接続処理部１３６Ａ、送信無線部１３７Ａを備える。
【００９６】  アンテナ１０１Ａは、端末２００から送信された無線信号を受信し、受信した無線信号を受信無線部１１１Ａへ出力する。また、アンテナ１０１Ａは、送信無線部１３７Ａから出力された無線信号を受け取り、無線信号を端末２００へ送信する。
【００９７】  受信無線部１１１Ａは、アンテナ１０１Ａから受け取った無線信号に対して無線信号を増幅し、無線回線制御部１２１Ａから受け取った周波数等に基づいて、無線帯域の無線信号をベースバンド帯域のベースバンド信号に変換（ダウンコンバート）する。受信無線部１１１Ａは、変換後のベースバンド信号を受信直交多元接続処理部１１２Ａへ出力する。
【００９８】  受信直交多元接続処理部１１２Ａは、ベースバンド信号に対して、Ａ／Ｄ（Analogue to Digital）変換処理やＳ／Ｐ（Serial to Parallel）変換処理、ＦＦＴ（Fast Fourier Transform：高速フーリエ変換）処理などを施す。そして、受信直交多元接続処理部１１２Ａは、無線回線制御部１２１Ａから受け取った無線リソース等の情報に基づいて、多重化された信号を分離する。受信直交多元接続処理部１１２Ａは、分離した信号を受信信号として復調・復号部１１３Ａへ出力する。
【００９９】  復調・復号部１１３Ａは、受信直交多元接続処理部１１２Ａから出力された受信信号に対して、無線回線制御部１２１Ａから受け取った変調方式と符号化率に従って復調処理と誤り訂正復号化処理を施す。また、復調・復号部１１３Ａは、無線回線制御部１２１Ａから受け取ったセルＩＤとスロット番号などに基づいてスクランブリングコードを作成し、作成したスクランブリングコードを用いて、復調後の受信信号に対してデスクランブリング処理を行う。復調・復号部１１３Ａは、デスクランブリング処理などによって端末２００から送信されたデータなどを再生する。復調・復号部１１３Ａは、例えば、スクランブリングコードを作成する作成部でもあり、デスクランブリング処理を行う処理部でもある。
【０１００】  無線回線品質情報抽出部１１４Ａは、復調・復号部１１３Ａから出力されたデータなどから無線回線品質情報を抽出し、抽出した無線回線品質情報を無線回線制御部１２１Ａへ出力する。
【０１０１】  送信電力情報抽出部１１５Ａは、復調・復号部１１３Ａから出力されたデータなどから送信電力情報を抽出する。送信電力情報は、例えば、端末２００において無線信号を送信する際の送信電力に関する情報である。送信電力情報抽出部１１５Ａは、抽出した送信電力情報を無線回線制御部１２１Ａへ出力する。
【０１０２】  無線回線制御部１２１Ａは、例えば、無線回線品質情報や送信電力情報に基づいて、端末２００との通信に用いる無線リソース、変調方式、符号化率などを選択する。このような選択を、例えば、スケジューリングと称する場合がある。無線回線制御部１２１Ａは、上り方向と下り方向の双方のスケジューリングを行う。無線回線制御部１２１Ａは、例えば、端末２００へ送信する送信データについてはＰＤＳＣＨ（Physical Downlink Shared Channel：物理下り共有チャネル）を用いて送信し、端末２００から受信する受信データについてはＰＵＳＣＨ（Physical Do）を用いて受信するようにスケジューリングを行ってもよい。
【０１０３】  また、無線回線制御部１２１Ａは、選択した無線リソース、変調方式、符号化率などの情報を無線回線制御情報作成部１３３Ａへ出力する。無線回線制御部１２１Ａは、無線回線制御情報を、ＰＤＣＣＨ（Physical Downlink Control Channel：物理下り方向制御チャネル）を用いて送信されるようにスケジューリングを行ってもよい。
【０１０４】  さらに、無線回線制御部１２１Ａは、スケジューリングした無線リソース、変調方式、符号化率などを、受信無線部１１１Ａ、受信直交多元接続処理部１１２Ａ、復調・復号部１１３Ａへ出力する。さらに、無線回線制御部１２１Ａは、スケジューリングした無線リソース、変調方式、符号化率などを、送信電力制御部１３４Ａ、符号化・変調部１３５Ａ、送信直交多元接続処理部１３６Ａ、送信無線部１３７Ａへ出力する。
【０１０５】  さらに、無線回線制御部１２１Ａは、ＭＣＥ３００（又はＭＭＥ４００−Ｃ）から送信された第２のＭＢＳＦＮ情報を受信し、第２のＭＢＳＦＮ情報に含まれるＭＢＳＦＮ  ＩＤや周波数、スロット番号、ＳＦＮなどを無線回線制御情報作成部１３３Ａへ出力する。この場合、無線回線制御部１２１Ａは、例えば、これらの情報をシステム情報（又はシステム制御情報）としてＰＤＳＣＨを用いて送信されるようスケジューリングを行う。
【０１０６】  システム情報管理部１２２Ａは、システム情報を管理し、記憶する。システム情報としては、例えば、隣接基地局に関する情報やパイロット作成の初期値、ランダムアクセス手順を行う際に用いられるランダムアクセスプリアンブルに関する情報などがある。
【０１０７】  報知情報作成部１３１Ａは、システム情報管理部１２２Ａから隣接基地局に関する情報などを読み出して、これらの情報を含む報知情報を作成する。報知情報作成部１３１Ａは、作成した報知情報を送信電力制御部１３４Ａへ出力する。
【０１０８】  パイロット作成部１３２Ａは、システム情報管理部１２２Ａからパイロットの初期値などを読み出してパイロットを作成し、作成したパイロットを送信電力制御部１３４Ａへ出力する。
【０１０９】  無線回線制御情報作成部１３３Ａは、無線回線制御部１２１Ａにおいてスケジューリングされた無線リソース、変調方式、符号化率などの情報を含む無線回線制御情報を作成する。また、無線回線制御情報作成部１３３Ａは、無線回線制御部１２１Ａから受け取ったＭＢＳＦＮ  ＩＤ、周波数、スロット番号、ＳＦＮなどを含むＭＢＳＦＮ制御情報（又は第２のＭＢＳＦＮ制御情報）を作成する。例えば、ＭＣＥ３００から受け取った第２のＭＢＳＦＮ制御情報に含まれる情報と、無線回線制御情報作成部１３３Ａにおいて作成するＭＢＳＦＮ制御情報に含まれる情報は同一でもよいし、異なっていてもよい。無線回線制御情報作成部１３３Ａは作成した無線回線制御情報と第２のＭＢＳＦＮ制御情報を送信電力制御部１３４Ａへ出力する。
【０１１０】  送信電力制御部１３４Ａは、無線回線制御部１２１Ａから受け取った送信電力制御値に従って、報知情報やパイロット、無線回線制御情報、第２のＭＢＳＦＮ制御情報、送信データなどを出力する。
【０１１１】  符号化・変調部１３５Ａは、送信電力制御部１３４Ａから出力された送信データなどに対して、無線回線制御部１２１Ａから受け取った符号化率に従って誤り訂正符号化処理を施し、符号化後の送信データなどに基づいてＣＲＣ（Cyclic Redundancy Check）を付加する。
【０１１２】  また、符号化・変調部１３５Ａは、無線回線制御部１２１Ａから受け取ったセルＩＤやスロット番号などに基づいてスクランブリングコードを作成し、作成したスクランブリングコードを用いてＣＲＣを付加した送信データなどに対してスクランブリング処理を施す。そして、符号化・変調部１３５Ａは、スクランブリング処理された送信データなどに対して、無線回線制御部１２１Ａから受け取った変調方式に従って変調処理を施す。符号化・変調部１３５Ａは変調後の送信データなどを送信信号として出力する。符号化・変調部１３５Ａは、例えば、スクランブリングコードを作成する作成部でもあり、スクランブリング処理を行う処理部でもある。
【０１１３】  なお、符号化・変調部１３５Ａでは、パイロットや同期信号に対して符号化、ＣＲＣの付加、スクランブリング処理などを行わない。
【０１１４】  送信直交多元接続処理部１３６Ａは、符号化・変調部１３５Ａから出力された送信信号に対して、ＩＦＦＴ（Inverse Fast Fourier Transfer）処理やＰ／Ｓ（Parallel to Serial）変換処理などを施し、多元接続に対応する信号（例えば、ＯＦＤＭＡ信号）に変換する。その際、送信直交多元接続処理部１３６Ａは、無線回線制御部１２１Ａから受け取った無線リソースなどに基づいて送信直交多元接続処理を行う。送信直交多元接続処理部１３６Ａは、変換後の送信信号を送信無線部１３７Ａへ出力する。
【０１１５】  送信無線部１３７Ａは、送信直交多元接続処理部１３６Ａから出力された送信信号に対して、無線回線制御部１２１Ａから受け取った周波数等に基づいて、周波数変換処理や増幅処理などを施して無線信号へ変換（アップコンバート）する。送信無線部１３７Ａは無線信号をアンテナ１０１Ａへ出力する。
【０１１６】  ＜基地局１００−Ｃの構成例＞  図９は基地局１００−Ｃの構成例を表す図である。基地局１００−Ｃは、アンテナ１０１Ｃ、受信部１１０Ｃ、制御部１２０Ｃ、及び送信部１３０Ｃを備える。
【０１１７】  なお、第１の実施の形態における第２の送信部１７０−２は、例えば、送信部１３０Ｃに対応する。また、第１の実施の形態における第３の送信部１７０−３も、例えば、送信部１３０Ｃに対応する。
【０１１８】  受信部１１０Ｃは、受信無線部１１１Ｃ、受信直交多元接続処理部１１２Ｃ、復調・復号部１１３Ｃを備える。また、制御部１２０Ｃは、無線回線制御部１２１Ｃ、システム情報管理・記憶部（以下、「システム情報管理部」と称する場合がある）１２２Ｃを備える。さらに、送信部１３０Ｃは、パイロット作成部（又は参照信号作成部）１３２Ｃ、ＭＢＳＦＮ制御情報作成部１３８Ｃ、符号化・変調部１３５Ｃ、送信直交多元接続処理部１３６Ｃ、及び送信無線部１３７Ｃを備える。
【０１１９】  以下の説明では、基地局１００−Ａに対して更に有する機能や処理について説明する。
【０１２０】  復調・復号部１１３Ｃは、無線回線制御部１２１Ｃから受け取ったＭＢＳＦＮ  ＩＤとスロット番号などに基づいて、スクランブリングコードを作成し、作成したスクランブリングコードを用いて復調後の受信信号に対してデスクランブリング処理を行う。復調・復号部１１３Ｃも、例えば、スクランブリングコードを作成する作成部でもあり、デスクランブリング処理を行う処理部でもある。
【０１２１】  無線回線制御部１２１Ｃは、さらに、ＭＣＥ３００から送信された第２のＭＢＳＦＮ制御情報を受信し、第２のＭＢＳＦＮ制御情報に含まれる使用周波数、使用変調方式、使用符号化率、送信タイミングなどをＭＢＳＦＮ制御情報作成部１３８Ｃへ出力する。基地局１００−Ｃでは、これらの情報を論理チャネルであるＭＣＣＨ（Multicast Control Channel：マルチキャスト制御チャネル又はＭＢＭＳ制御チャネル）を用いて送信する。そのため、無線回線制御部１２１Ｃは、ＭＣＣＨに関する無線リソースなどの情報を送信直交多元接続処理部１３６Ｃと送信無線部１３７Ｃへ出力してもよい。
【０１２２】  また、無線回線制御部１２１Ｃは、さらに、ＭＣＥ３００から送信されたＭＢＭＳデータのデータ量を受信し、受信したデータ量に基づいてＭＢＭＳ  ＧＷ８００から受信したＭＢＭＳデータのうち配信するＭＢＭＳデータを選択する。そして、無線回線制御部１２１Ｃは、ＭＣＥ３００においてスケジューリングされた第２のＭＢＳＦＮ制御情報に従って、ＭＢＭＳデータを配信する。そのため、無線回線制御部１２１Ｃは、第２のＭＢＳＦＮ制御情報に含まれるＭＢＳＦＮ  ＩＤ、使用変調方式、使用符号化率、使用周波数、送信タイミングなどを符号化・変調部１３５Ｃ、送信直交多元接続処理部１３６Ｃ、送信無線部１３７Ｃへ出力する。この場合、無線回線制御部１２１Ｃは、ＭＢＭＳデータが論理チャネルであるＭＴＣＨ（Multicast Traffic Channel：マルチキャストトラフィックチャネル）を用いて送信されるように使用周波数などを送信直交多元接続処理部１３６Ｃと送信無線部１３７Ｃへ出力する。
【０１２３】  無線回線制御部１２１Ｃは、第２のＭＢＳＦＮ制御情報をシステム情報管理部１２２Ｃに記憶してもよい。
【０１２４】  パイロット作成部１３２Ｃは、さらに、ＭＢＳＦＮサブフレームにマッピングされるパイロット（以下、「ＭＢＳＦＮパイロット」）を作成する。パイロット作成部１３２Ｃは、通常のサブフレームにマッピングされるパイロットとは異なる算出式を用いて、参照信号列でもあるＭＢＳＦＮパイロットを作成する。パイロット作成部１３２Ｃは、例えば、以下の算出式を用いてＭＢＳＦＮパイロットｒｌ，ｎｓ（ｍ）を作成する。
【０１２５】
【数１】
2017090202.tif 000003
【０１２６】
【数２】
2017090202.tif 000004
【０１２７】  式（２）は式（１）のｃ（）の初期値を表し、ＮＩＤＭＢＳＦＮはＭＢＳＦＮ  ＩＤを表す。パイロット作成部１３２Ｃは、例えば、システム情報管理部１２２Ｃなどなどに記憶された式（１）、式（２）、及びＭＢＳＦＮ  ＩＤなどを読み出し、式（１）と式（２）にＭＢＳＦＮ  ＩＤなどを代入することで、ＭＢＳＦＮパイロットを作成する。パイロット作成部１３２Ｃは、作成したＭＢＳＦＮパイロットを符号化・変調部１３５Ｃへ出力する。
【０１２８】  ＭＢＳＦＮ制御情報作成部１３８Ｃは、ＭＢＳＦＮ  ＩＤ、Ｍ−ＲＮＴＩ、使用周波数、使用符号化率、使用変調方式、送信タイミングなど、第２のＭＢＳＦＮ制御情報に含まれる情報を、無線回線制御部１２１Ｃから受け取る。ＭＢＳＦＮ制御情報作成部１３８Ｃは、受け取ったこれらの情報を含むＭＢＳＦＮ制御情報を作成する。なお、以下ではこのＭＢＳＦＮ制御情報を、第２のＭＢＳＦＮ制御情報と称する場合がある。ＭＢＳＦＮ制御情報作成部１３８Ｃは、作成したＭＢＳＦＮ制御情報を符号化・変調部１３５Ｃへ出力する。ＭＢＳＦＮ制御情報作成部１３８Ｃが作成する第２のＭＢＳＦＮ制御情報に含まれる情報と、基地局１００−ＣがＭＣＥ３００から受け取った第２のＭＢＳＦＮ制御情報に含まれる情報は、例えば、同一でもよいし異なってもよい。
【０１２９】  符号化・変調部１３５Ｃは、ＭＢＭＳ  ＧＷ８００から送信されたＭＢＭＳデータを受信し、パイロット作成部１３２Ｃからパイロットを受け取り、ＭＢＳＦＮ制御情報作成部１３８Ｃから第２のＭＢＳＦＮ制御情報を受け取る。そして、符号化・変調部１３５Ｃは、ＭＢＭＳデータや第２のＭＢＳＦＮ制御情報などに対して、無線回線制御部１２１Ｃから受け取った使用符号化率に従って誤り訂正符号化処理を施し、符号化後のＭＢＭＳデータなどに対してＣＲＣ（Cyclic Redundancy Check：巡回冗長検査）符号を付加する。この場合、符号化・変調部１３５Ｃは、ＣＲＣ符号が付加されたＭＢＭＳデータなどに対してスクランブリング処理を施す。
【０１３０】  スクランブリング処理は、例えば、以下となる。すなわち、符号化・変調部１３５Ｃは、無線回線制御部１２１Ｃから受け取ったＭＢＳＦＮ  ＩＤを用いてスクランブリングコードを作成する。例えば、符号化・変調部１３５は以下の式を用いてスクランブリングコードｂ（ｑ）（ｉ）を作成する。
【０１３１】
【数３】
2017090202.tif 000005
【０１３２】
【数４】
2017090202.tif 000006
【０１３３】  式（４）は式（３）に示すｃ（ｑ）（ｉ）の初期値を表し、ｎｓはスロット番号、ＮＩＤＭＢＳＦＮがＭＢＳＦＮ  ＩＤを表している。例えば、符号化・変調部１３５Ｃは、内部メモリなどに式（３）と式（４）を保持し、内部メモリから式を読み出して、無線回線制御部１２１Ｃから受け取ったＭＢＳＦＮ  ＩＤやスロット番号などを式に代入することでスクランブリングコードを作成する。符号化・変調部１３５Ｃは、例えば、スクランブリングコードを作成する作成部でもあり、スクランブリング処理を行う処理部でもある。
【０１３４】  符号化・変調部１３５Ｃは、スクランブリング処理を施したＭＢＭＳデータなどに対して、無線回線制御部１２１Ｃから受け取った使用変調方式に従って変調処理を施す。符号化・変調部１３５Ｃは、変調後のＭＢＭＳデータなどを送信直交多元接続処理部１３６Ｃへ出力する。
【０１３５】  なお、符号化・変調部１３５Ｃは、ＭＢＳＦＮパイロットや同期信号に対して、符号化、ＣＲＣの付加、スクランブリング処理などを行わない。
【０１３６】  以上のようにして基地局１００−Ｃはアンライセンスバンドを用いて第２のＭＢＳＦＮ制御情報に従ってＭＢＭＳデータを送信する。
【０１３７】  ＜ＭＢＭＳデータの伝送チャネルについて＞  ここで、ＭＢＭＳデータの伝送チャネルについて説明する。図１０は下り方向における論理チャネルとトランスポートチャネル、及び物理チャネルの関係例を表す図である。
【０１３８】  上述したように、基地局１００−ＣはＭＢＭＳデータを論理チャネルであるＭＴＣＨを用いて送信し、第２のＭＢＳＦＮ制御情報を論理チャネルであるＭＣＣＨを用いて送信する。
【０１３９】  ＭＴＣＨとＭＣＣＨは、トランスポートチャネルであるＭＣＨ（Multicast Channel：マルチキャストチャネル）にマッピンク（又は配置）する。この場合、ＭＴＣＨとＭＣＣＨはトランスポートチャネルのＤＬ−ＳＣＨ（Down Link Shared Channel：下り共有チャネル）にマッピングしてもよい。
【０１４０】  ＭＣＨは、ＰＭＣＨ（Physical Multicast Channel：物理マルチキャストチャネル）にマッピングする。基地局１００−ＣはＰＭＣＨを用いることで、ＭＢＭＳデータや第２のＭＢＳＦＮ制御情報をブロードキャストで送信することが可能となる。
【０１４１】  上述したＭＢＳＦＮパイロットはＰＭＣＨにマッピングされて送信される。ＭＢＳＦＮパイロットは、通常のサブフレームにマッピングされる参照信号とは異なる算出式で算出される参照信号列であり、サブフレーム内の配置も異なっている。ＭＢＳＦＮパイロットを、ＭＢＳＦＮ  ＲＳ（ＭＢＳＦＮ参照信号）と称する場合がある。
【０１４２】  なお、基地局１００−Ａは、第１のＭＢＳＦＮ制御情報を論理チャネルであるＤＣＣＨ（Dedicated Control Channel：個別制御チャネル）又はＤＴＣＨ（Dedicated Traffic Channel：個別トラヒックチャネル）を用いて送信してもよい。なお、下り論理チャネルのうち、ＣＣＣＨ（Common Control Channel：共有制御チャネル）は、例えば、ＲＲＣ接続を持っていない場合に用いられる論理チャネルである。
【０１４３】  ＣＣＣＨとＤＣＣＨ、ＤＴＣＨはトランスポートチャネルのＤＬ−ＳＣＨにマッピングする。また、トランスポートチャネルのＤＬ−ＳＣＨは下り物理チャネルであるＰＤＳＣＨにマッピングする。基地局１００−Ａは、ＰＤＳＣＨを用いて第１のＭＢＳＦＮ制御情報を送信することができる。
【０１４４】  なお、ＭＢＳＦＮ伝送では、通常のユーザ（又は端末）個別のデータが送信される共有チャネル（ＤＳＣＨ（Downlink Shared Channel））で用いられるフレームフォーマットとは異なるＭＢＳＦＮフレームフォーマットが用いられる。ＭＢＳＦＮフレームフォーマットについては、例えば、３ＧＰＰ  ＴＳ  ３６．２１１  Ｖ１０．７．０（２０１３−２）の６．１０．２章などを参照されたい。
【０１４５】  ＜端末の構成例＞  図１１は端末２００の構成例を表す図である。端末２００は、アンテナ２０１、受信部２１０、制御部２２０、送信部２３０を備える。
【０１４６】  なお、第１の実施の形態における受信部２７０は、例えば、受信部２１０に対応する。
【０１４７】  受信部２１０は、受信無線部２１１、受信直交多元接続処理部２１２、復調・復号部２１３、システム情報抽出部２１４、制御信号抽出部２１５、ＭＢＳＦＮパイロット作成部２１６、パイロット抽出部２１７、同期部２１８を備える。
【０１４８】  また、制御部２２０は、無線回線制御部（又はＭＢＳＦＮ受信制御部）２２１、端末設定制御部２２２、システム情報記憶部２２３を備える。
【０１４９】  さらに、送信部２３０は、符号化・変調部２３１、送信直交多元接続処理部２３２、送信無線部２３３を備える。
【０１５０】  アンテナ２０１は、基地局１００から送信された無線信号を受信し、受信した無線信号を受信無線部２１１へ出力する。また、アンテナ２０１は、送信無線部２３３から出力された無線信号を受け取り、受け取った無線信号を基地局１００へ送信する。
【０１５１】  受信無線部２１１は、無線信号に対して、端末設定制御部２２２から受け取った周波数などに基づいて、増幅処理や周波数変換処理などを施すことでベースバンド帯域のベースバンド信号に変換（ダウンコンバート）する。受信無線部２１１は、ベースバンド信号を受信直交多元接続処理部２１２へ出力する。
【０１５２】  受信直交多元接続処理部２１２は、ベースバンド信号に対して、Ａ／Ｄ変換処理やＳ／Ｐ変換処理、ＦＦＴ処理などを施すことで、多重化された信号を分離する。この場合、受信直交多元接続処理部２１２は、端末設定制御部２２２から受け取った無線リソースに従って、受信直交多元接続処理を行って信号を分離する。受信直交多元接続処理部２１２は、分離した受信信号を復調・復号部２１３へ出力する。
【０１５３】  復調・復号部２１３は、受信信号に対して、端末設定制御部２２２から受け取った変調方式と符号化率に従って復調処理と誤り訂正復号化処理を施す。また、復調・復号部２１３は、復調後の受信信号に対してデスクランブリング処理を施す。その際、復調・復号部２１３は、セルＩＤ（又はＭＢＳＦＮ  ＩＤ）とスロット番号に基づいてスクランブリングコードを作成し、スクランブリングコードを用いてデスクランブリング処理を行う。そして、復調・復号部２１３は、デスクランブリングされた受信信号に対してＣＲＣにより誤りがあるか否かを判定してＣＲＣを分離し、受信データなどを再生する。
【０１５４】  受信データがＭＢＭＳデータの場合、復調・復号部２１３は、例えば、制御信号抽出部２１５から受け取ったＭＢＳＦＮ  ＩＤとスロット番号に基づいて、式（３）と式（４）を用いてスクランブリングコードを作成して、デスクランブリングを行う。復調・復号部２１３は、例えば、式（３）や式（４）などのスクランブリングコードを作成する算出式を内部メモリなどに保持してもよく、処理の際に内部メモリから読み出してスクランブリングコードを作成するようにしてもよい。復調・復号部２１３は、例えば、スクランブリングコードを作成する作成部でもあり、デスクランブリング処理を行う処理部でもある。
【０１５５】  端末２００では、第１のＭＢＳＦＮ制御情報に含まれるＭＢＳＦＮ  ＩＤなどに基づいてスクランブリングコードを作成することになるが、基地局１００−Ｃにおいても第２のＭＢＳＦＮ制御情報に含まれるＭＢＳＦＮ  ＩＤに基づいてスクランブリングコードを作成する。従って、端末２００では同一（又は共通）のＭＢＳＦＮ  ＩＤに基づいて、ＭＢＳＦＮ伝送を実施する基地局１００−Ｃと同じスクランブリングコードを作成する。よって、端末２００は、基地局１００−Ｃから受信したスクランブリング処理されたデータに対して、作成したスクランブリングコードを用いてデスクランブリング処理を行うことで、当該データを抽出することが可能となる。
【０１５６】  なお、端末２００は、パイロットや同期信号も受信するが、例えば、復号・復調部２１３などにおいてはパイロットや同期信号に対しては誤り訂正復号化処理、ＣＲＣの分離、スクランブリング処理を行わずに受信処理を行うようにしている。
【０１５７】  システム情報抽出部２１４は、復調・復号部２１３から出力されたデータなどからシステム情報を抽出する。システム情報には、例えば、第１のＭＢＳＦＮ制御情報が含まれる。システム情報抽出部２１４は、抽出したシステム情報を無線回線制御部２２１、端末設定制御部２２２、及びシステム情報記憶部２２３へ出力する。これにより、システム情報抽出部２１４は、第１のＭＢＳＦＮ制御情報に含まれるＭＢＳＦＮ  ＩＤ、基地局１００−Ｃで使用する周波数、スロット番号、ＳＦＮなどを無線回線制御部２２１と端末設定制御部２２２へ出力することが可能となる。
【０１５８】  制御信号抽出部２１５は、復調・復号部２１３から出力されたデータなどから制御信号（又は無線回線制御情報、或いは第２のＭＢＳＦＮ制御情報）を抽出する。制御信号抽出部２１５は、抽出した第２のＭＢＳＦＮ制御情報に含まれるＭＢＳＦＮ  ＩＤ、使用周波数、使用変調方式、使用符号化率、送信タイミング、ＭＢＳＦＮ  ＩＤなどを、復調・復号部２１３、ＭＢＳＦＮパイロット作成部２１６、無線回線制御部２２１へ出力する。
【０１５９】  ＭＢＳＦＮパイロット作成部２１６は、制御信号抽出部２１５から出力された第２のＭＢＳＦＮ制御情報のうち、ＭＢＳＦＮ  ＩＤなどに基づいてＭＢＳＦＮパイロットを作成する。例えば、ＭＢＳＦＮパイロット作成部２１６は上述した式（１）と式（２）を用いて作成してもよい。これらの式も、例えば、ＭＢＳＦＮパイロット作成部２１６の内部メモリなどに保持されており、ＭＢＳＦＮパイロット作成部２１６が適宜読み出して処理を行えばよい。ＭＢＳＦＮパイロット作成部２１６は、作成したパイロットを同期部２１８へ出力する。
【０１６０】  パイロット抽出部２１７は、復調・復号部２１３から出力されるデータなどからＭＢＳＦＮパイロットや通常のパイロットを抽出する。パイロット抽出部２１７は、抽出したＭＢＳＦＮパイロットや通常のパイロットを同期部２１８へ出力する。
【０１６１】  同期部２１８は、通常のパイロットに基づいて、例えば、端末２００内部で用いられる同期信号を作成する。無線回線制御部２２１は作成された同期信号を参照して、端末２００内の各部を同期させることで、端末２００は基地局１００−Ａと同期して無線通信を行うことが可能となる。
【０１６２】  また、同期部２１８は、ＭＢＳＦＮパイロット作成部２１６から受け取ったＭＢＳＦＮパイロットとパイロット抽出部２１７から受け取ったＭＢＳＦＮパイロットに基づいて、例えば、端末２００内部で用いられる同期信号を作成する。無線回線制御部２２１は作成された同期信号を参照して、端末２００内の各部を同期させることで、端末２００は基地局１００−Ｃと同期して無線通信を行うことが可能となる。
【０１６３】  無線回線制御部２２１は、例えば、システム情報抽出部２１４から第１のＭＢＳＦＮ制御情報を受け取ると、第１のＭＢＳＦＮ制御情報を端末設定制御部２２２へ出力する。このとき、無線回線制御部２２１は、第１のＭＢＳＦＮ制御情報に含まれるＭＢＳＦＮ  ＩＤ、周波数、スロット番号などに基づいて端末２００が基地局１００−Ｃに対して受信処理や送信処理を行うよう端末設定制御部２２２へ指示する。
【０１６４】  また、無線回線制御部２２１は、例えば、制御信号抽出部２１５から第２のＭＢＳＦＮ制御情報を受け取ると、第２のＭＢＳＦＮ制御情報を端末設定制御部２２２へ出力する。このとき、無線回線制御部２２１は、第２のＭＢＳＦＮ制御情報に含まれるＭＢＳＦＮ  ＩＤ、使用周波数、使用変調方式などに基づいて端末２００が基地局１００−Ｃに対して受信処理や送信処理を行うよう端末設定制御部２２２へ指示する。
【０１６５】  さらに、無線回線制御部２２１は、例えば、パイロット抽出部２１７で抽出されたパイロット（ＭＢＳＦＮパイロット又は通常のパイロット）を同期部２１８から受け取り、当該パイロットに基づいて、基地局１００−Ｃから送信された無線信号の受信品質を測定及び算出する。無線回線制御部２２１は、例えば、受信品質を測定及び算出する受信品質測定部でもある。
【０１６６】  さらに、無線回線制御部２２１は、例えば、パイロット抽出部２１７で抽出されたパイロットを同期部２１８から受け取り、当該パイロットに基づいて、基地局１００−Ａから送信された無線信号の受信品質を測定及び算出する。
【０１６７】  端末設定制御部２２２は、無線回線制御部２２１から指示を受けると、例えば、受信無線部２１１、受信直交多元接続処理部２１２、復調・復号部２１３に対して第１のＭＢＳＦＮ制御情報に含まれるＭＢＳＦＮ  ＩＤ、周波数などを出力する。これにより、端末２００は基地局１００−Ｃと接続して無線通信を行うことが可能になる。
【０１６８】  また、端末設定制御部２２２は、無線回線制御部２２１から指示を受けると、例えば、受信無線部２１１、受信直交多元接続処理部２１２、復調・復号部２１３に対して第２のＭＢＳＦＮ制御情報に含まれるＭＢＳＦＮ  ＩＤ、周波数などを出力する。これにより、端末２００はＭＣＥ３００によってスケジューリングされ、基地局１００−Ｃから送信されたＭＢＭＳデータを受信することが可能になる。
【０１６９】  なお、端末２００は基地局１００−Ａでスケジューリングされた無線リソースや変調方式、符号化率なども制御信号として受信可能である。この場合、制御信号抽出部２１５がこの制御信号を抽出し、無線回線制御部２２１は制御信号に含まれる無線リソースなどを端末設定制御部２２２へ出力し、当該無線リソースなどで受信処理や送信処理を行うよう端末設定制御部２２２へ指示する。これにより、端末設定制御部２２２は、当該無線リソースなどを受信無線部２１１、受信直交多元接続処理部２１２、復調・復号部２１３などへ出力し、端末２００は基地局１００−Ａから送信されたデータなどを受信することができる。
【０１７０】  なお、端末設定制御部２２２は、第１及び第２のＭＢＳＦＮ制御情報に含まれる各情報を送信無線部２３３、送信直交多元接続処理部２３２、符号化・変調部２３１へ出力することで、端末２００は基地局１００−Ａ，１００−Ｃと上り方向の無線通信も行い得る。
【０１７１】  システム情報記憶部２２３は、システム情報抽出部２１４から受け取ったシステム情報を記憶する。
【０１７２】  符号化・変調部２３１は、送信データに対して、端末設定制御部２２２から受け取った符号化率と変調方式に従って、誤り訂正符号化処理と変調処理を行う。符号化・変調部２３１は、端末設定制御部２２２からセルＩＤやＭＢＳＦＮ  ＩＤなどを受け取り、スクランブリングコードを作成し、作成したスクランブリングコードを用いて符号化後のデータなどに対してスクランブリング処理を施す。符号化・変調部２３１は、変調後のデータなどを送信直交多元接続処理部２３２へ出力する。
【０１７３】  また、符号化・変調部２３１は、端末設定制御部２２２からＭＢＳＦＮ  ＩＤとスロット番号などを受け取り、スクランブリングコードを作成し、作成したスクランブリングコードを用いて符号化後のデータに対してスクランブリング処理を施してもよい。
【０１７４】  送信直交多元接続処理部２３２は、符号化・変調部２３１から出力された変調後のデータに対して、ＩＦＦＴ処理やＰ／Ｓ処理などを施して多元接続に対応する信号（例えば、ＯＦＤＭＡ信号）に変換する。その際、送信直交多元接続処理部２３２は、端末設定制御部２２２から受け取った無線リソースなどに基づいて送信直交多元接続処理を行う。送信直交多元接続処理部２３２は、変換後の送信信号を送信無線部２３３へ出力する。
【０１７５】  送信無線部２３３は、送信直交多元接続処理部２３２から出力された送信信号に対して、端末設定制御部２２２から受け取った周波数等に基づいて、周波数変換処理や増幅処理などを行い、無線信号へ変換（アップコンバート）する。送信無線部２３３は無線信号をアンテナ２０１へ出力する。
【０１７６】  ＜動作例＞  次に第２の実施の形態における動作例について説明する。図１２は動作例を表すフローチャートである。図２などの例では、ＭＣＥ３００配下には複数の基地局１００−Ｃ１，…，１００−Ｃｎが配置されているが、図１２の例では代表して、２つの基地局（ｅＮＢ）１００−Ｃ１，１００−Ｃ２を例にしている。また、端末（ＵＥ：User Equipment）２００−２は、基地局１００−Ａのセル範囲外であって、複数の基地局１００−Ｃ１，１００−Ｃ２によるＭＢＳＦＮエリアに在圏するものとする。さらに、端末２００−１は基地局１００−Ａのセル範囲に在圏し、当該ＭＢＳＦＮエリアにも在圏するものとする。
【０１７７】  ＭＭＥ４００−ＣはＭＢＭＳデータのセッションを開始することを示す制御信号をＭＣＥ３００へ送信する（Ｓ１０）。
【０１７８】  次に、ＭＣＥ３００は、当該制御信号を受信すると、第１のＭＢＳＦＮ制御情報を配下の基地局１００−Ｃ１，１００−Ｃ２へ送信する（Ｓ１１，Ｓ１２）。
【０１７９】  次に、基地局１００−Ｃ１，１００−Ｃ２は、アンライセンスバンドを用いて第１のＭＢＳＦＮ制御情報をブロードキャストで送信する（Ｓ１３，Ｓ１４）。端末２００−２は第１のＭＢＳＦＮ制御情報を受信する。
【０１８０】  ＭＣＥ３００は、第１のＭＢＳＦＮ制御情報を配下の基地局１００−Ｃ１，１００−Ｃ２へ送信（Ｓ１１，Ｓ１２）後、第１のＭＢＳＦＮ制御情報を各オペレータの基地局へ向けて送信する（Ｓ１５）。図１２の例では、第１のＭＢＳＦＮ制御情報は、ＭＭＥ４００−Ｃ、ＧＷ５００、オペレータＡのネットワーク６００−Ａ、及びＭＭＥ４００−Ａを経由して、オペレータＡの基地局１００−Ａへ送信される。
【０１８１】  基地局１００−Ａは、第１のＭＢＳＦＮ制御情報を受信すると、受信した第１のＭＢＳＦＮ制御情報を端末２００−１へ送信する（Ｓ１８）。この場合、基地局１００−ＡはオペレータＡに割り当てられたライセンスバンドを用いて第１のＭＢＳＦＮ制御情報を送信する。端末２００−１はライセンスバンドを用いて第１のＭＢＳＦＮ制御情報を受信する。これにより、端末２００−１は、複数の基地局１００−Ｃ１，１００−Ｃ２と接続可能となる。
【０１８２】  一方、ＭＣＥ３００は、第１のＭＢＳＦＮ制御情報を送信（Ｓ１５）後、ＭＢＭＳデータのスケジューリングを行う（Ｓ２０）。ＭＣＥ３００はスケジューリングによって、第２のＭＢＳＦＮ制御情報を作成し、作成した第２のＭＢＳＦＮ制御情報を配下の基地局１００−Ｃ１，１００−Ｃ２へ送信する（Ｓ２１，Ｓ２２）。
【０１８３】  次に、基地局１００−Ｃ１，１００−Ｃ２は、アンライセンスバンドを用いて第２のＭＢＳＦＮ制御情報をブロードキャストで送信する（Ｓ２３，Ｓ２４）。端末２００−１は第１のＭＢＳＦＮ制御情報に基づいて第２のＭＢＳＦＮ制御情報の受信が可能な状態となっており、ブロードキャストで送信された第２のＭＢＳＦＮ制御情報を第１のＭＢＳＦＮ制御情報に基づいて受信する。
【０１８４】  次に、ＭＢＭＳ  ＧＷ８００は、ＭＢＭＳデータを基地局１００−Ｃ１，１００−Ｃ２へ送信し（Ｓ２５，Ｓ２６）、基地局１００−Ｃ１，１００−Ｃ２は受信したＭＢＭＳデータを、アンライセンスバンドを用いてブロードキャストで送信する（Ｓ２７，Ｓ２８）。端末２００−１は第２のＭＢＳＦＮ制御情報に基づいてＭＢＭＳデータを受信する。
【０１８５】  このように本第２の実施の形態においては、オペレータＡと契約したユーザが使用する端末２００−１について、オペレータＡの基地局１００−Ａから第１のＭＢＳＦＮ制御情報を受信する。端末２００−１は第１のＭＢＳＦＮ制御情報に基づいて、アンライセンスバンドを用いてＭＢＳＦＮ伝送を行っている基地局１００−Ｃと接続して、基地局１００−Ｃから第２のＭＢＳＦＮ制御情報を受信する。端末２００−１は、第２のＭＢＳＦＮ制御情報に基づいて、アンライセンスバンドを用いて送信されたＭＢＭＳデータを受信することが可能となる。
【０１８６】  例えば、基地局１００−Ｃではアンライセンスバンドを用いたＭＢＳＦＮ伝送を行っているため、各オペレータ共有の無線リソースを利用してＭＢＳＦＮ伝送を実施することが可能となる。よって、各オペレータが各々割り当てられたライセンスバンドを用いてＭＢＳＦＮ伝送が行われる場合と比較して、ＭＢＳＦＮ伝送を実施する場合の無線リソースの無駄を省くことができ、本無線通信システム１０は無線リソースの有効活用化を図ることができる。
【０１８７】  また、オペレータＡと契約してオペレータＡに加入した端末２００−１であっても、アンライセンスバンドを使用してＭＢＳＦＮ伝送を実施する基地局１００−Ｃと接続してＭＢＭＳデータを受信することができる。上記した実施例では、このような端末２００−１の例について説明したが、例えば図２に示すように、オペレータＢと契約したユーザが使用する端末２００−２であっても、基地局１００−Ｃと接続してＭＢＭＳデータを受信することも可能である。この場合、端末２００−２は、オペレータＢが運用する基地局１００−Ｂから第１のＭＢＳＦＮ制御情報を受信する。これにより、端末２００−２は、端末２００−１と同様に、第１のＭＢＳＦＮ制御情報に基づいて基地局１００−Ｃと接続して当該基地局１００−Ｃから第２のＭＢＳＦＮ制御情報を受信し、第２のＭＢＳＦＮ制御情報を受信することでＭＢＭＳデータを受信できる。従って、特定のオペレータに加入している端末２００−１，２００−２であっても、アンライセンスバンドを用いたＭＢＳＦＮ伝送を実施している基地局１００−Ｃからコンテンツ（ＭＢＭＳデータ）を受信することが可能となる。
【０１８８】  さらに、オペレータＡに加入した端末２００−１はオペレータＡの運用する基地局１００−Ａと接続した後で、アンライセンスバンドを用いたＭＢＳＦＮ伝送を行う基地局１００−Ｃと接続している。このため、オペレータＡは、基地局１００−Ａを介してＭＢＭＳデータを受信する端末２００−１に対して課金を行うことも可能である。例えば、オペレータＡは所定の料金を支払ったユーザが使用する端末２００−１について、基地局１００−Ａと接続中に確認や認証がとれた場合、基地局１００−Ａから第１のＭＢＳＦＮ制御情報を端末２００−１へ送信するようにしてもよい。
【０１８９】  例えば、オリンピックなど世界中の人々が競技場やプレスセンタなど、一つの会場に集まる場合がある。そのような人々が自国のオペレータと契約した加入者端末をそのような会場に持ってきたとしても、上記した実施例により、当該加入者端末によりコンテンツを視聴することも可能となる。
【０１９０】  ［第３の実施の形態］  次に、第３の実施の形態について説明する。本第３の実施の形態はシステムフレーム番号（ＳＦＮ）の通知の例である。
【０１９１】  ある瞬間においてあるオペレータの無線フレーム番号（又はシステムフレーム番号）、サブフレーム番号、スロット番号と、別のオペレータの無線フレーム番号、サブフレーム番号、スロット番号はそれぞれ一致するとは限らない。これは、無線フレーム番号、サブフレーム番号、スロット番号は、例えば、オペレータが独自に設定するものだからである。
【０１９２】  無線フレーム内において同期信号が送信されるサブフレームとスロットは３ＧＰＰなどにおいて規定されている。従って、端末２００−１は同期信号を受信することで、サブフレーム番号とスロット番号を認識することが可能となる。しかし、端末２００−１は同期信号を受信してもシステムフレーム番号を認識することはできない。
【０１９３】  図１４は本第３の実施の形態における無線通信システム１０の構成例を表している。本第３の実施の形態では、基地局１００−Ａは、ＭＢＳＦＮ  ＩＤと同様に、ＭＢＳＦＮ伝送が行われる際のシステムフレーム番号を端末２００−１へ送信する。基地局１００−Ａは、システムフレーム番号を第１のＭＢＳＦＮ制御情報に含めて送信してもよい。これにより、例えば、端末２００−１ではＭＢＳＦＮ伝送が行われる際のシステムフレーム番号も認識することができ、基地局１００−Ｃ１，１００−Ｃ２，…と同期してＭＢＭＳデータを受信することができる。
【０１９４】  システムフレーム番号は、例えば、ＭＢＳＦＮ  ＩＤと同様に、ＭＣＥ３００やＭＭＥ４００−Ｃで作成されて、ＧＷ５００などを介して各オペレータの基地局（基地局１００−Ａなど）へ送信される。或いは、複数の基地局１００−Ｃ１，１００−Ｃ２がＭＢＭＳ伝送を行う前に、システムフレーム番号をブロードキャストで送信するようにしてもよい。例えば、システムフレーム番号は第２のＭＢＳＦＮ制御情報に含まれてもよい。
【０１９５】  ［その他の実施の形態］  その他の実施の形態について説明する。図１５は基地局１００、図１６は端末２００、図１７はＭＣＥ３００のハードウェア構成例を表す図である。
【０１９６】  図１５に示すように、基地局１００は、アンテナ１０１、ＣＰＵ（Central Processing Unit）１５０、ＲＯＭ（Read Only Memory）１５１、ＲＡＭ（Random Access Memory）１５２、メモリ１５３、ＤＳＰ（Digital Signal Processor）１５４、無線処理部１５５、及びＩＦ（Interface）１５６を備える。
【０１９７】  ＣＰＵ１５０は、ＲＯＭ１５１に記憶されたプログラムを読み出してＲＡＭ１５２にロードし、ロードしたプログラムを実行することで、無線回線品質情報抽出部１１４Ａ、送信電力情報抽出部１１５Ａ、無線回線制御部１２１Ａ、報知情報作成部１３１Ａ、パイロット作成部１３２Ａ、無線回線制御情報作成部１３３Ａ、送信電力制御部１３４Ａの機能を実行する。従って、ＣＰＵ１５０は、例えば、第２の実施の形態における、無線回線品質情報抽出部１１４Ａ、送信電力情報抽出部１１５Ａ、無線回線制御部１２１Ａ、報知情報作成部１３１Ａ、パイロット作成部１３２Ａ、無線回線制御情報作成部１３３Ａ、送信電力制御部１３４Ａに対応する。
【０１９８】  また、ＣＰＵ１５０は、ＲＡＭ１５２にロードしたプログラムを実行することで、無線回線制御部１２１Ｃ、パイロット作成部１３２Ｃ、ＭＢＳＦＮ制御情報作成部１３８Ｃの機能を実行する。従って、ＣＰＵ１５０は、例えば、第２の実施の形態における、無線回線制御部１２１Ｃ、パイロット作成部１３２Ｃ、ＭＢＳＦＮ制御情報作成部１３８Ｃに対応する。
【０１９９】  ＤＳＰ１５４は、ＣＰＵ１５０からの指示に従って、受信直交多元接続処理部１１２Ａ、復調・復号部１１３Ａ、符号化・変調部１３５Ａ、送信直交多元接続処理部１３６Ａの機能を実行する。従って、ＤＳＰ１５４は、例えば、第２の実施の形態における受信直交多元接続処理部１１２Ａ、復調・復号部１１３Ａ、符号化・変調部１３５Ａ、送信直交多元接続処理部１３６Ａに対応する。
【０２００】  また、ＤＳＰ１５４は、ＣＰＵ１５０からの指示に従って、受信直交多元接続処理部１１２Ｃ、復調・復号部１１３Ｃ、符号化・変調部１３５Ｃ、送信直交多元接続処理部１３６Ｃの機能を実行する。従って、ＤＳＰ１５４は、例えば、第２の実施の形態における受信直交多元接続処理部１１２Ｃ、復調・復号部１１３Ｃ、符号化・変調部１３５Ｃ、送信直交多元接続処理部１３６Ｃに対応する。
【０２０１】  さらに、メモリ１５３は、例えば、第２の実施の形態におけるシステム情報管理部１２２Ａ，１２２Ｃに対応する。また、無線処理部１５５は、例えば、第２の実施の形態における受信無線部１１１Ａ，１１１Ｃ、送信無線部１３７Ａ，１３７Ｃに対応する。
【０２０２】  ＩＦ１５６は、基地局１００と他の装置（ＭＭＥ４００−ＡやＭＣＥ３００など）と接続するインタフェースであって、ＣＰＵ１５０などから受け取ったデータなどを他の装置へ送信できるフォーマットに変換して送信する。また、ＩＦ１５６は、他の装置から送信された所定フォーマットのデータからデータそのものなどを抽出し、メモリ１５３やＣＰＵ１５０へ出力する。
【０２０３】  図１６に示すように、端末２００は、ＣＰＵ２５０、ＲＯＭ２５１、ＲＡＭ２５２、メモリ２５３、ＤＳＰ２５４、無線処理部２５５、及びアンテナ２０１を備える。
【０２０４】  ＣＰＵ２５０は、ＲＯＭ２５１に記憶されたプログラムを読み出してＲＡＭ２５２にロードし、ロードしたプログラムを実行することで、システム情報抽出部２１４、制御信号抽出部２１５、ＭＢＳＦＮパイロット作成部２１６、パイロット抽出部２１７、同期部２１８、無線回線制御部２２１、端末設定制御部２２２の機能を実行する。ＣＰＵ２５０は、例えば、第２の実施の形態における、システム情報抽出部２１４、制御信号抽出部２１５、パイロット抽出部２１７、同期部２１８、無線回線制御部２２１、端末設定制御部２２２、システム情報記憶部２２３に対応する。
【０２０５】  ＤＳＰ２５４は、ＣＰＵ２５０からの指示に従って、受信直交多元接続処理部２１２、復調・復号部２１３、符号化・変調部２３１、送信直交多元接続処理部２３２の機能を実行する。従って、ＤＳＰ２５４は、例えば、第２の実施の形態における受信直交多元接続処理部２１２、復調・復号部２１３、符号化・変調部２３１、送信直交多元接続処理部２３２に対応する。
【０２０６】  メモリ２５３は、例えば、第２の実施の形態におけるシステム情報記憶部２２３に対応する。また、無線処理部２５５は、例えば、第２の実施の形態における受信無線部２１１と送信無線部２３３に対応する。
【０２０７】  図１７に示すように、ＭＣＥ３００は、ＣＰＵ３５０、ＲＯＭ３５１、ＲＡＭ３５２、メモリ３５３、及びＩＦ３５４を備える。
【０２０８】  ＣＰＵ３５０は、ＲＯＭ３５１に記憶されたプログラムを読み出してＲＡＭ３５２にロードし、ロードしたプログラムを実行することで、セッション制御部３１０、スケジューラ３２０、コンテンツ制御部３３０の機能を実行する。従って、ＣＰＵ３５０は、例えば、セッション制御部３１０、スケジューラ３２０、コンテンツ制御部３３０に対応する。
【０２０９】  メモリ３５３は、例えば、セッション制御情報やコンテンツ制御情報、第１及び第２のＭＢＳＦＮ制御情報などを記憶してもよい。ＩＦ３５４は、ＣＰＵ３５０などから受け取った情報などを外部の装置（例えばＭＭＥ４００−Ｃ、基地局１００−Ｃ）へ送信可能なフォーマットのデータに変換して送信する。また、ＩＦ３５４は、外部装置から送信された所定フォーマットのデータを受信し、当該データから情報などを抽出してメモリ３５３やＣＰＵ３５０などへ出力する。
【０２１０】  なお、ＣＰＵ１５０，２５０，３５０については、ＭＰＵ（Micro Processing Unit）やＦＰＧＡ（Field Programmable Gate Array）などのコントローラであってもよい。
【０２１１】  上述した実施の形態において、第１のＭＢＳＦＮ制御情報はＭＣＥ３００で作成されてもよいし、ＭＭＥ４００−Ｃで作成されてもよい。上述したように第１のＭＢＳＦＮ制御情報に含まれる一部の情報がＭＣＥ３００で作成されて、その他の情報がＭＭＥ４００−Ｃで作成されてもよい。
【０２１２】  また、上述した実施の形態において、第２のＭＢＳＦＮ制御情報に含まれる使用周波数について、例えば、基地局１００−Ｃではそのまま使用周波数を用いてＭＢＭＳデータを送信する例について説明した。例えば、基地局１００−Ｃは、所定のアルゴリズムや式により使用周波数とは異なる周波数を用いてＭＢＭＳデータを送信するようにしてもよい。そのようなアルゴリズムや式において用いられるパラメータとしては、例えば、第２のＭＢＳＦＮ制御情報に含まれる情報が用いられてもよい。例えば、基地局１００−Ｃの無線回線制御部１２１Ｃや、端末２００の無線回線制御部２２１においてアルゴリズムや式を用いて異なる周波数を算出して、送信無線部１３７Ｃや受信無線部２１１などを制御するようにしてもよい。
【０２１３】  さらに、上述した実施の形態においては、例えば、第１のＭＢＳＦＮ制御情報と第２のＭＢＳＦＮ制御情報に含まれる各情報は異なるものとして説明した。例えば、第１のＭＢＳＦＮ制御情報と第２のＭＢＳＦＮ制御情報に含まれる各情報は同一であってもよい。
【符号の説明】
【０２１４】１０：無線通信システム１００−Ａ、１００−Ｂ、１００−Ｃ１，…，１００−Ｃｎ：基地局装置１１０Ａ、１１０Ｃ：受信部            １０１Ａ、１０１Ｃ：アンテナ１１３Ａ，１１３Ｃ：復調・復号部      １２０Ａ，１２０Ｃ：制御部１２１Ａ、１２１Ｃ：無線回線制御部    １２２Ａ，１２２Ｃ：システム情報管理・記憶部１３０Ａ，１３０Ｃ：送信部            １３２Ａ，１３２Ｃ：パイロット作成部１３５Ａ，１３５Ｃ：符号化・変調部    １３８Ｃ：ＭＢＳＦＮ制御情報作成部１５０：ＣＰＵ                        ２００，２００−１，２００−２：端末装置２０１：アンテナ                      ２１０：受信部２１３：復調：復号部                  ２１４：システム情報抽出部２１５：制御信号抽出部                ２１６：ＭＢＳＦＮパイロット作成部２１７：パイロット抽出部              ２２０：制御部２２１：無線回線制御部                ２２２：端末設定制御部２２３：システム情報記憶部            ２３０：送信部２５０：ＣＰＵ                        ３００：ＭＣＥ３２０：スケジューラ                  ３５０：ＣＰＵ４００−Ａ，４００−Ｂ，４００−Ｃ：ＭＭＥ４５０−Ａ：ＳＧＷ                    ４６０−Ａ：ＰＧＷ５００：ＧＷ                          ６００−Ａ：オペレータＡのネットワーク６００−Ｂ：オペレータＢのネットワーク７００：データ管理装置                ８００：ＭＢＭＳ  ＧＷ 
【図１】
2017090202.tif 000007
【図２】
2017090202.tif 000008
【図３】
2017090202.tif 000009
【図４】
2017090202.tif 000010
【図５】
2017090202.tif 000011
【図６】
2017090202.tif 000012
【図７】
2017090202.tif 000013
【図８】
2017090202.tif 000014
【図９】
2017090202.tif 000015
【図１０】
2017090202.tif 000016
【図１１】
2017090202.tif 000017
【図１２】
2017090202.tif 000018
【図１３】
2017090202.tif 000019
【図１４】
2017090202.tif 000020
【図１５】
2017090202.tif 000021
【図１６】
2017090202.tif 000022
【図１７】
2017090202.tif 000023
【手続補正書】
【提出日】平成30年7月3日(2018.7.3)
【手続補正１】
【補正対象書類名】特許請求の範囲
【補正対象項目名】全文
【補正方法】変更
【補正の内容】
【特許請求の範囲】
【請求項１】
免許が必要な第１の周波数帯を用いて無線通信が可能な第１の基地局装置と、
第２の基地局装置と、
無線回線制御装置と、
端末装置と
を備えた無線通信システムにおいて、
前記無線回線制御装置は、
免許が不要な第２の周波数帯における第２の周波数と第１の送信タイミングを含む第１の制御情報を前記第２の基地局装置へ送信するスケジューラを備え、
前記第２の基地局装置は、
前記第２の周波数を用いて前記第１の送信タイミングで端末装置共通のデータを送信する第２の送信部を備え、
前記第１の基地局装置は、
第１の周波数を用いて前記第１の制御情報を前記端末装置へ送信する第１の送信部を備え、
前記端末装置は、
前記第１の基地局装置から送信された前記第１の制御情報を前記第１の周波数を用いて受信し、前記第２の周波数を用いて前記第２の基地局装置から送信された前記端末装置共通のデータを前記第１の送信タイミングで受信する受信部
を備えることを特徴とする無線通信システム。
【請求項２】
前記受信部は、前記第１の制御情報を受信し、前記第２の基地局装置から送信された前記端末装置共通のデータを受信することを特徴とする請求項１記載の無線通信システム。
【請求項３】
前記第１の送信部は、前記端末装置共通のデータを前記第２の周波数を用いて前記第１の送信タイミングにより送信されるエリア又は前記エリアにおいて提供される端末装置共通のサービスを識別する識別情報を含む前記第１の制御情報を送信することを特徴とする請求項１記載の無線通信システム。
【請求項４】
前記スケジューラは、前記識別情報を含む前記第１の制御情報を前記第２の基地局装置へ送信し、
前記第２の基地局装置は、
前記識別情報により第１のスクランブリングコードを作成する第１の作成部と、
前記第１のスクランブリングコードを用いて前記端末装置共通のデータに対してスクランブリング処理を行う第１のスクランブリング処理部とを備え、
前記第２の送信部は、スクランブリング処理された前記端末装置共通のデータを送信し、
前記端末装置は、
前記第１の制御情報に含まれる第１のスクランブリングコードを作成する第３の作成部と、
前記受信部で受信したスクランブリング処理された前記端末装置共通のデータに対して、前記第３の作成部で作成された前記第１のスクランブリングコードを用いてデスクランブリング処理を行い、前記端末装置共通のデータを抽出するデスクランブリング処理部を備える
ことを特徴とする請求項３記載の無線通信システム。
【請求項５】
前記第２の基地局装置は、
前記第１の制御情報に含まれる識別情報の参照信号を作成する第１の参照信号生成部を備え、
前記第２の送信部は前記参照信号を送信し、
前記端末装置は、
前記受信部は前記参照信号を受信し、
前記参照信号から受信品質を測定及び算出する受信品質測定部を備える
ことを特徴とする請求項３記載の無線通信システム。    
【請求項６】
前記第１の送信部は、前記識別情報と前記第２の周波数帯における第３の周波数を含む前記第１の制御情報を送信することを特徴とする請求項３記載の無線通信システム。
【請求項７】
前記第１の送信部は、更に、スロット番号を含む前記第１の制御情報を送信することを特徴とする請求項６記載の無線通信システム。
【請求項８】
前記第１の送信部は、更に、システムフレーム番号を含む前記第１の制御情報を送信することを特徴とする請求項６記載の無線通信システム。
【請求項９】
前記スケジューラは、更に、第１の変調方式及び第１の符号化率を含む前記第１の制御情報を前記第２の基地局装置へ送信し、
前記第２の送信部は、前記第１の制御情報から、前記第１の符号化率で誤り訂正符号化処理を施し、更に、誤り訂正符号化処理が施された前記端末装置共通のデータに対して前記第１の変調方式で変調処理を施し、変調処理が施された前記端末装置共通のデータに対して、前記第２の周波数を用いて前記第１の送信タイミングにより送信する
ことを特徴とする請求項１記載の無線通信システム。
【請求項１０】
前記受信部は、前記第２の基地局装置から送信された前記端末装置共通のデータを前記第２の周波数を用いて前記第１の送信タイミングで受信し、更に、受信した前記端末装置共通のデータに対して第１の変調方式で復調処理を施し、復調処理が施された前記端末装置共通のデータに対して第１の符号化率で誤り訂正復号化処理を施すことを特徴とする請求項６記載の無線通信システム。
【請求項１１】
前記第２の送信部は、前記第２の周波数を用いて第２の送信タイミングで前記第１の制御情報を送信することを特徴とする請求項２記載の無線通信システム。
【請求項１２】
免許が必要な第１の周波数帯を用いて無線通信が可能な基地局装置において、
免許が不要な第２の周波数を用いて第１の送信タイミングで端末装置共通データを送信する複数の他の基地局装置のうちいずれかの前記他の基地局装置と接続するための第１の制御情報を受信する受信部と、
前記第１の周波数帯の第１の周波数を用いて前記第１の制御情報を端末装置へ送信する送信部を備え、
前記端末装置は、前記第１の制御情報から前記他の基地局装置と接続して前記他の基地局装置から送信された前記端末装置共通データを前記第２の周波数を用いて前記第１の送信タイミングにより受信する
ことを特徴とする基地局装置。
【請求項１３】
免許が必要な第１の周波数帯を用いて無線通信が可能な第１の基地局装置から送信された第１の制御情報を前記第１の周波数帯における第１の周波数を用いて受信する受信部と、
免許が不要な第２の周波数帯における第２の周波数を用いて第１の送信タイミングで端末装置共通のデータを送信する第２の基地局装置と接続する制御部とを備え、
前記受信部は、前記第２の周波数を用いて前記第２の基地局装置から送信された前記端末装置共通のデータを前記第１の送信タイミングで受信することを特徴とする端末装置。
【請求項１４】
免許が必要な第１の周波数帯を用いて無線通信が可能な第１の基地局装置と、第２の基地局装置と、無線回線制御装置と、端末装置とを備えた無線通信システムにおける無線通信方法であって、
前記無線回線制御装置により、免許が不要な第２の周波数帯における第２の周波数と第１の送信タイミングを含む第１の制御情報を前記第２の基地局装置へ送信し、
前記第２の基地局装置により、前記第２の周波数を用いて前記第１の送信タイミングで端末装置共通のデータを送信し、
前記第１の基地局装置により、前記第１の周波数帯における第１の周波数を用いて前記第１の制御情報を前記端末装置へ送信し、
前記端末装置により、前記第１の基地局装置から送信された前記第１の制御情報を前記第１の周波数を用いて受信し、前記第２の周波数を用いて前記第２の基地局装置から送信された前記端末装置共通のデータを前記第１の送信タイミングで受信する
ことを特徴とする無線通信方法。
【国際調査報告】
2017090202.tif 000024
2017090202.tif 000025
2017090202.tif 000026
2017090202.tif 000027